(57)【特許請求の範囲】
【請求項１】
ネットワークにおいて、ＡＭＦ（access and mobility management function）がＳＭＦ（session management function）の要求に応答する方法において、
前記ＳＭＦから、モバイル終結データの通信が制約されるモードにないＵＥ（User Equipment）へのデータ通知に関連する要求を受信し、
サービスが制約される非許容領域に前記ＵＥがいることを検出し、
前記データ通知が規制優先化サービスに対するものではない限り、前記要求を拒絶し、前記ＵＥが前記非許容領域にいることを通知する指示を前記ＳＭＦに送信し、前記指示は、データ通知に関連した前記要求を送信することを中断すること、又は下りリンクデータのバッファリングを中断することをＵＰＦ（user plane function）に命令するために前記ＳＭＦに対して使用され、
前記ＡＭＦの少なくとも一つのメモリに、前記サービスが制限されていることが前記ＳＭＦに通知されたことを示す情報を貯蔵し、
前記要求が前記規制優先化サービスに対するものであるとき、前記ＵＥに対するページングを基地局に送信する、ことを含む、方法。
【請求項２】
前記規制優先化サービスは、緊急サービス又はＭＰＳ（multimedia priority service）である、請求項１に記載の方法。
【請求項３】
前記ＵＥが前記非許容領域にいるとき、前記ＵＥ及び前記ネットワークは、ＣＭ−ＩＤＬＥ（connection management idle）状態及びＣＭ−ＣＯＮＮＥＣＴＥＤ（connection management connected）状態で、前記規制優先化サービスを除いて、ユーザサービスを取得するためにサービス要求又はセッション管理シグナリングを開始することが許容されない、請求項１に記載の方法。
【請求項４】
モバイル終結データに対する通信が制約されている前記モードの前記ＵＥは、
前記ＵＥがＣＭ−ＣＯＮＮＥＣＴＥＤ状態のときのみ、前記モバイル終結データで支援され、
前記ＵＥがＣＭ−ＩＤＬＥ状態のとき、いずれのページングも聞かない、請求項１に記載の方法。
【請求項５】
前記ネットワークは、５Ｇ（fifth generation）通信システムの一部である、請求項１〜４のいずれか一項に記載の方法。
【請求項６】
前記ＵＥが許容領域に移動するとき、前記ＵＥが前記許容領域にいることを前記ＳＭＦに通知することをさらに含む、請求項１に記載の方法。
【請求項７】
ネットワークにおいて、ＳＭＦ（session management function）の要求に応答するＡＭＦ（access and mobility management function）であって、
少なくとも一つのメモリと、
トランシーバと、
前記トランシーバを制御するように構成されたプロセッサと、を含み、
前記プロセッサは、
前記ＳＭＦから、モバイル終結データの通信が制約されるモードにないＵＥ（User Equipment）へのデータ通知に関連する要求を受信するように前記トランシーバを制御し、
サービスが制約される非許容領域に前記ＵＥがいることを検出し、
前記データ通知が規制優先化サービスに対するものではない限り、前記要求を拒絶し、前記ＵＥが前記非許容領域にいることを通知する指示を前記ＳＭＦに送信し、前記指示は、データ通知に関連した前記要求を送信することを中断すること、又は下りリンクデータのバッファリングを中断することをＵＰＦ（user plane function）に命令するために前記ＳＭＦに対して使用され、
前記少なくとも一つのメモリに、前記サービスが制限されていることが前記ＳＭＦに通知されたことを示す情報を貯蔵し、
前記要求が前記規制優先化サービスに対するものであるとき、前記トランシーバを介して、前記ＵＥに対するページングを基地局に送信する、ように構成される、ＡＭＦ。
【請求項８】
前記規制優先化サービスは、緊急サービス又はＭＰＳ（multimedia priority service）である、請求項７に記載のＡＭＦ。
【請求項９】
前記ＵＥが前記非許容領域にいるとき、前記ＵＥ及び前記ネットワークは、ＣＭ−ＩＤＬＥ（connection management idle）状態及びＣＭ−ＣＯＮＮＥＣＴＥＤ（connection management connected）状態で、前記規制優先化サービスを除いて、ユーザサービスを取得するためにサービス要求又はセッション管理シグナリングを開始することが許容されない、請求項７に記載のＡＭＦ。
【請求項１０】
モバイル終結データに対する通信が制約されている前記モードの前記ＵＥは、
前記ＵＥがＣＭ−ＣＯＮＮＥＣＴＥＤ状態のときのみ、前記モバイル終結データで支援され、
前記ＵＥがＣＭ−ＩＤＬＥ状態のとき、いずれのページングも聞かない、請求項７に記載のＡＭＦ。
【請求項１１】
前記ネットワークは、５Ｇ（fifth generation）通信システムの一部である、請求項７〜１０のいずれか一項に記載のＡＭＦ。
【請求項１２】
前記プロセッサは、前記ＵＥが許容領域に移動するとき、前記ＵＥが前記許容領域にいることを前記ＳＭＦに通知するように構成される、請求項７に記載のＡＭＦ。
【発明の詳細な説明】
【技術分野】
【０００１】
本発明は無線通信システムに関し、特にユーザ機器に関連する要求に応答する方法及びその装置に関する。
【背景技術】
【０００２】
無線通信システムが音声やデータなどのような種々の通信サービスを提供するために広範囲に展開されている。一般に、無線通信システムは、利用可能なシステムリソース（帯域幅、送信パワーなど）を共有してマルチユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ-ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
機器間（Ｍａｃｈｉｎｅ−ｔｏ−Ｍａｃｈｉｎｅ；Ｍ２Ｍ）通信と、高いデータ送信量を要求するスマートフォン、タブレットＰＣなどの様々な装置及び技術が出現及び普及している。これに伴い、セルラーネットワークにおいて処理が要求されるデータ量も急増している。このように急増しているデータ処理要求量を満たすために、より多い周波数帯域を効率的に使用するためのキャリアアグリゲーション（ｃａｒｒｉｅｒ  ａｇｇｒｅｇａｔｉｏｎ）技術、コグニティブ無線（ｃｏｇｎｉｔｉｖｅ  ｒａｄｉｏ）技術など、限定された周波数内で送信されるデータ容量を高めるための複数アンテナ技術、複数基地局協調技術などが発展している。
【０００４】
一方、ユーザ機器（ｕｓｅｒ  ｅｑｕｉｐｍｅｎｔ；ＵＥ）がその周辺でアクセス（ａｃｃｅｓｓ）可能なノード（ｎｏｄｅ）の密度が高くなる方向に通信環境が進化している。ノードとは、一つ以上のアンテナを具備してＵＥと無線信号を送信／受信できる固定の地点（ｐｏｉｎｔ）をいう。高い密度のノードを有する通信システムは、ノード同士の協調によってさらに高い性能の通信サービスをＵＥに提供することができる。
【０００５】
より多くの通信装置がより大きい通信容量を要求することにより、レガシー無線アクセス技術（ｒａｄｉｏ  ａｃｃｅｓｓ  ｔｅｃｈｎｏｌｏｇｙ、ＲＡＴ）に比べて向上したモバイル広帯域通信に対する必要性が台頭しつつある。また、複数の装置とモノ（ｏｂｊｅｃｔ）とを相互接続していつどこでも様々なサービスを提供するための大規模機械タイプ通信（ｍａｓｓｉｖｅ  ｍａｃｈｉｎｅ  ｔｙｐｅ  ｃｏｍｍｕｎｉｃａｔｉｏｎ、ｍＭＴＣ）は、次世代通信において考慮すべき主要争点の一つである。また、信頼度及び遅延に敏感なサービス／ＵＥを考慮して設計される通信システムに関する議論が進行中である。次世代（ｎｅｘｔ  ｇｅｎｅｒａｔｉｏｎ）無線アクセス技術の導入は、向上したモバイル広帯域通信（ｅＭＢＢ）、ｍＭＴＣ、超高信頼性及び低遅延通信（ｕｌｔｒａ-ｒｅｌｉａｂｌｅ  ａｎｄ  ｌｏｗ  ｌａｔｅｎｃｙ  ｃｏｍｍｕｎｉｃａｔｉｏｎ、ＵＲＬＬＣ）などを考慮して論議されている。
【発明の概要】
【発明が解決しようとする課題】
【０００６】
新しい無線通信技術の導入に伴って、基地局が所定のリソース領域でサービスを提供するＵＥの数だけではなく、基地局がサービスを提供するＵＥと送受信するデータ及び制御情報の量が増加している。基地局がＵＥとの通信に利用可能な無線リソースの量は有限であるので、基地局が有限な無線リソースを用いてデータ及び／又は制御情報をＵＥから／に効率的に受信／送信するための新しい方案が求められている。
【０００７】
また新しい無線アクセス技術を支援するシステムにおいて、信号を効率的に送受信する方法が求められている。
【０００８】
本発明で遂げようとする技術的目的は以上で言及した事項に限定されず、言及していない別の技術的課題は、以下に説明する本発明の実施例から、本発明の属する技術の分野における通常の知識を有する者によって考慮されるであろう。
【課題を解決するための手段】
【０００９】
本発明の一様相において、第１ネットワーク装置が第２ネットワーク装置の要求に応答する方法が提供される。方法は、第２ネットワーク装置から着信（ｍｏｂｉｌｅ  ｔｅｒｍｉｎａｔｅｄ）データに対する通信が制約されるモードに設定されていないユーザ機器（ｕｓｅｒ  ｅｑｕｉｐｍｅｎｔ、ＵＥ）に対するデータ通知に関連する要求を受信し、ＵＥが通信サービスが制約される非許容領域（ｎｏｎ−ａｌｌｏｗｅｄ  ａｒｅａ）にいることを検出し、データ通知が規制優先化サービス（ｒｅｇｕｌａｔｏｒｙ  ｐｒｉｏｒｉｔｉｚｅｄ  ｓｅｒｖｉｃｅ）に対するものではないと要求を拒絶することを含む。
【００１０】
本発明の他の様相において、第１ネットワーク装置が第２ネットワーク装置の要求に応答する装置が提供される。第１ネットワーク装置は、トランシーバ（ｔｒａｎｓｃｅｉｖｅｒ）と、トランシーバを制御するように構成されたプロセッサとを含んで構成される。プロセッサは、第２ネットワーク装置から着信（ｍｏｂｉｌｅ  ｔｅｒｍｉｎａｔｅｄ）データに対する通信が制約されるモードに設定されていないユーザ機器（ｕｓｅｒ  ｅｑｕｉｐｍｅｎｔ、ＵＥ）に対するデータ通知に関連する要求を受信するようにトランシーバを制御し、ＵＥが通信サービスが制約される非許容領域（Ｎｏｎ−ａｌｌｏｗｅｄ  ａｒｅａ）にいることを検出し、データ通知が規制優先化サービス（ｒｅｇｕｌａｔｏｒｙ  ｐｒｉｏｒｉｔｉｚｅｄ  ｓｅｒｖｉｃｅ）に対するものではないと要求に対する拒絶を送信するようにトランシーバを制御するように構成される。
【００１１】
本発明のさらに他の様相において、第１ネットワーク装置はデータ通知が規制優先化サービスに対するものであれば、ＵＥに対するページングを無線アクセスネットワーク装置に送信する。
【００１２】
本発明のさらに他の様相において、無線アクセスネットワーク装置は、基地局である。
【００１３】
本発明の各様相において、第１ネットワーク装置はデータ通知が規制優先化サービスに対するものではないと、第２ネットワーク装置にＵＥが非許容領域にいることを通知する。
【００１４】
本発明の各様相において、規制優先化サービスは、応急サービス又はマルチメディア優先サービス（ｍｕｌｔｉｍｅｄｉａ  ｐｒｉｏｒｉｔｙ  ｓｅｒｖｉｃｅ、ＭＰＳ）である。
【００１５】
本発明の各様相において、第１ネットワーク装置は、アクセス及び移動性管理ネットワーク装置である。
【００１６】
本発明の各様相において、第２ネットワーク装置は、セッション管理ネットワーク装置である。
【００１７】
上述した本発明の様態は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され理解されるであろう。
【発明の効果】
【００１８】
本発明の実施例によれば、無線通信信号を効率的に送受信できる。これにより、無線通信システムの全体処理量（ｔｈｒｏｕｇｈｐｕｔ）が増大する。
【００１９】
また新しい無線アクセス技術を支援するシステムにおいて、信号を効率的に送受信できる。
【００２０】
本発明で得られる効果は以上に言及した効果に制限されず、言及しなかった他の効果は下記の記載から本発明が属する当該技術分野における当業者に明確に理解されるであろう。
【図面の簡単な説明】
【００２１】
本発明に関する理解を助けるために詳細な説明の一部として含まれる添付図面は、本発明に対する実施例を提供し、詳細な説明と共に本発明の技術的思想を説明する。
【図１】ＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の構造を示す概略図である。
【図２】一般的なＥ−ＵＴＲＡＮとＥＰＣのアーキテクチャーを例示する図である。
【図３】制御プレーンにおける無線インターフェースプロトコルの構造を例示する図である。
【図４】ユーザプレーンにおける無線インターフェースプロトコルの構造を例示する図である。
【図５】ユーザプレーン及び制御プレーンのためのＬＴＥ（Ｌｏｎｇ  Ｔｅｒｍ  Ｅｖｏｌｕｔｉｏｎ）プロトコルスタックを例示する図である。
【図６】ランダムアクセス過程を説明するためのフローチャートである。
【図７】無線リソース制御（ＲＲＣ）層における接続過程を示す図である。
【図８】５Ｇシステムアーキテクチャーを例示する図である。
【図９】次世代アクセスネットワーク（ｎｅｗ  ｇｅｎｅｒａｔｉｏｎ  ａｃｃｅｓｓ  ｎｅｔｗｏｒｋ、ＮＧ−ＲＡＮ）のアーキテクチャーを例示する図である。
【図１０】次世代無線通信システムのプロトコルスタックを例示する図である。
【図１１】次世代無線通信システムのＵＥの状態遷移を例示する図である。
【図１２】次世代システムにおけるネットワークトリガーサービス要求手順を例示する図である。
【図１３】次世代システムにおける一般的な（ｇｅｎｅｒａｌ）登録手順を例示する図である。
【図１４】本発明の提案に適用されるノード装置の構成を示す図である。
【発明を実施するための形態】
【００２２】
本発明で使われる用語は、本発明における機能を考慮すると共に、可能な限り現在広く使われている一般的な用語を選択したが、これは、当該分野に従事する技術者の意図又は判例、新しい技術の出現などによって変更されてもよい。また、特定の場合には出願人が任意に選定した用語もあり、この場合は、該当する発明の説明部分においてその意味を詳しく記載するものとする。従って、本発明で使われる用語は単純な用語の名称ではなく、その用語が有する意味と本発明の全般に亘る内容に基づいて定義されるべきである。
【００２３】
以下の実施例は本発明の構成要素と特徴を所定の形態で結合したものである。各構成要素又は特徴は、別の明示的な言及がない限り、選択的なものとして考慮することができる。各構成要素又は特徴は他の構成要素や特徴と結合しない形態で実施されてもよく、一部の構成要素及び／又は特徴を結合して本発明の実施例を構成してもよい。本発明の実施例において説明される動作の順序は変更されてもよい。ある実施例の一部の構成や特徴は別の実施例に含まれてもよく、別の実施例の対応する構成又は特徴に取り替えられてもよい。
【００２４】
図面に関する説明において、本発明の要旨を曖昧にさせるような手順又は段階などは記述を省略し、当業者のレベルで理解し得るような手順又は段階も記述を省略した。
【００２５】
明細書全体を通じて、ある部分がある構成要素を“含む（ｃｏｍｐｒｉｓｉｎｇ又はｉｎｃｌｕｄｉｎｇ）”とされているとき、これは、特別な記載がない限り、他の構成要素を除外するのではなく、他の構成要素をさらに含み得るということを意味する。また、明細書に記載された“…部”、“…器”、“モジュール”などの用語は、少なくとも一つの機能や動作を処理する単位を意味し、これは、ハードウェア、ソフトウェア、又はハードウェア及びソフトウェアの結合によって具現化することができる。また、“ある（ａ又はａｎ）”、“一つ（ｏｎｅ）”、“その（ｔｈｅ）”及び類似の関連語は、本発明を記述する文脈において（特に、以下の請求項の文脈において）本明細書に別に指示されたり文脈によって明らかに反駁されない限り、単数及び複数の双方を含む意味で使うことができる。
【００２６】
本発明の実施例は、無線アクセスシステムであるＩＥＥＥ  ８０２．ｘｘシステム、３ＧＰＰシステム、３ＧＰＰ  ＬＴＥシステム及び３ＧＰＰ２システムの少なくとも一つに開示された標準文書によって裏付けることができる。即ち、本発明の実施例において説明していない自明な段階又は部分は、上記文書を参照して説明することができる。
【００２７】
また、本文書に開示されている全ての用語は、上記標準文書によって説明されることができる。例えば、この明細書は３ＧＰＰ  ＴＳ  ３６．２１１、３ＧＰＰ  ＴＳ  ３６．２１３、３ＧＰＰ  ＴＳ  ３６．３２１、３ＧＰＰ  ＴＳ  ３６．３２２、３ＧＰＰ  ＴＳ  ３６．３２３、３ＧＰＰ  ＴＳ  ３６．３３１、３ＧＰＰ  ＴＳ  ２３．２０３、３ＧＰＰ  ＴＳ  ２３．４０１、３ＧＰＰ  ＴＳ  ２４．３０１の標準文書、及び／又は３ＧＰＰ  ＮＲ標準文書（例えば、３ＧＰＰ  ＴＳ  ３８．３３１、３ＧＰＰ  ＴＳ  ２３．５０１、３ＧＰＰ  ＴＳ  ２３．５０２）のうちの１つ以上によって裏付けられる。
【００２８】
以下、本発明に係る好適な実施の形態を、添付の図面を参照して詳しく説明する。添付の図面と共に以下に開示される詳細な説明は、本発明の例示的な実施の形態を説明しようとするもので、本発明が実施され得る唯一の実施の形態を表そうとするものではない。
【００２９】
また、本発明の実施例で使われる特定の用語は本発明の理解を助けるために提供されたものであり、このような特定の用語の使用は、本発明の技術的思想から逸脱しない範囲で別の形態に変更されてもよい。
【００３０】
まず、本明細書で使われる用語は次のように定義される。
【００３１】
−ＩＭＳ（ＩＰ  Ｍｕｌｔｉｍｅｄｉａ  Ｓｕｂｓｙｓｔｅｍ又はＩＰ  Ｍｕｌｔｉｍｅｄｉａ  Ｃｏｒｅ  Ｎｅｔｗｏｒｋ  Ｓｕｂｓｙｓｔｅｍ）：ＩＰ上で音声又は他のマルチメディアサービスを配信するための標準化を提供するための構造的（ａｒｃｈｉｔｅｃｔｕｒａｌ）フレームワーク（ｆｒａｍｅｗｏｒｋ）。
【００３２】
−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）：３ＧＰＰによって開発された、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースの第３世代（Ｇｅｎｅｒａｔｉｏｎ）移動通信技術。
【００３３】
−ＥＰＳ（Ｅｖｏｌｖｅｄ  Ｐａｃｋｅｔ  Ｓｙｓｔｅｍ）：ＩＰ（Ｉｎｔｅｒｎｅｔ  Ｐｒｏｔｏｃｏｌ）ベースのＰＳ（ｐａｃｋｅｔ  ｓｗｉｔｃｈｅｄ）コア（ｃｏｒｅ）ネットワークであるＥＰＣ（Ｅｖｏｌｖｅｄ  Ｐａｃｋｅｔ  Ｃｏｒｅ）とＬＴＥ／ＵＴＲＡＮなどのアクセスネットワークとで構成されたネットワークシステム。ＵＭＴＳが進化した形態のネットワークである。
【００３４】
−ＮｏｄｅＢ：ＧＥＲＡＮ／ＵＴＲＡＮの基地局。屋外に設置し、カバレッジはマクロセル（ｍａｃｒｏ  ｃｅｌｌ）規模である。
【００３５】
−ｅＮｏｄｅＢ／ｅＮＢ：Ｅ−ＵＴＲＡＮの基地局。屋外に設置し、カバレッジはマクロセル（ｍａｃｒｏ  ｃｅｌｌ）規模である。
【００３６】
−ＵＥ（Ｕｓｅｒ  Ｅｑｕｉｐｍｅｎｔ）：ユーザ機器。ＵＥは、ＵＥ（ｔｅｒｍｉｎａｌ）、ＭＥ（Ｍｏｂｉｌｅ  Ｅｑｕｉｐｍｅｎｔ）、ＭＳ（Ｍｏｂｉｌｅ  Ｓｔａｔｉｏｎ）などと呼ぶこともできる。また、ＵＥは、ノートパソコン、携帯電話、ＰＤＡ（Ｐｅｒｓｏｎａｌ  Ｄｉｇｉｔａｌ  Ａｓｓｉｓｔａｎｔ）、スマートフォン、マルチメディア機器などのように携帯可能な機器であってもよく、ＰＣ（Ｐｅｒｓｏｎａｌ  Ｃｏｍｐｕｔｅｒ）、車両搭載装置のように携帯不可能な機器であってもよい。ＭＴＣ関連の内容においてＵＥ又は端末という用語は、ＭＴＣデバイスを指すことができる。
【００３７】
−ＨＮＢ（Ｈｏｍｅ  ＮｏｄｅＢ）：ＵＭＴＳネットワークの基地局であり、屋内に設置し、カバレッジはマイクロセル（ｍｉｃｒｏ  ｃｅｌｌ）規模である。
【００３８】
−ＨｅＮＢ（Ｈｏｍｅ  ｅＮｏｄｅＢ）：ＥＰＳネットワークの基地局であり、屋内に設置し、カバレッジはマイクロセル規模である。
【００３９】
−ＭＭＥ（Ｍｏｂｉｌｉｔｙ  Ｍａｎａｇｅｍｅｎｔ  Ｅｎｔｉｔｙ）：移動性管理（Ｍｏｂｉｌｉｔｙ  Ｍａｎａｇｅｍｅｎｔ；ＭＭ）、セッション管理（Ｓｅｓｓｉｏｎ  Ｍａｎａｇｅｍｅｎｔ；ＳＭ）機能を有するＥＰＳネットワークのネットワークノード。
【００４０】
−ＰＤＮ−ＧＷ（Ｐａｃｋｅｔ  Ｄａｔａ  Ｎｅｔｗｏｒｋ−Ｇａｔｅｗａｙ）／ＰＧＷ／Ｐ−ＧＷ：ＵＥ  ＩＰアドレス割り当て、パケットスクリーニング（ｓｃｒｅｅｎｉｎｇ）及びフィルタリング、課金データ集合（ｃｈａｒｇｉｎｇ  ｄａｔａ  ｃｏｌｌｅｃｔｉｏｎ）機能などを有するＥＰＳネットワークのネットワークノード。
【００４１】
−ＳＧＷ（Ｓｅｒｖｉｎｇ  Ｇａｔｅｗａｙ）／Ｓ−ＧＷ：移動性アンカー（ｍｏｂｉｌｉｔｙ  ａｎｃｈｏｒ）、パケットルーティング（ｒｏｕｔｉｎｇ）、休止（ｉｄｌｅ）モードパケットバッファリング、ＭＭＥがＵＥをページングするようにトリガーする機能などを有するＥＰＳネットワークのネットワークノード。
【００４２】
−ＰＣＲＦ（Ｐｏｌｉｃｙ  ａｎｄ  Ｃｈａｒｇｉｎｇ  Ｒｕｌｅ  Ｆｕｎｃｔｉｏｎ）：サービスフロー別に差別化したＱｏＳ及び課金ポリシーを動的（ｄｙｎａｍｉｃ）に適用するためのポリシー決定（Ｐｏｌｉｃｙ  ｄｅｃｉｓｉｏｎ）を行うＥＰＳネットワークのネットワークノード。
【００４３】
−ＯＭＡ  ＤＭ（Ｏｐｅｎ  Ｍｏｂｉｌｅ  Ａｌｌｉａｎｃｅ  Ｄｅｖｉｃｅ  Ｍａｎａｇｅｍｅｎｔ）：携帯電話、ＰＤＡ、携帯用コンピュータなどのようなモバイルデバイスの管理のためにデザインされたプロトコルであり、デバイス設定（ｃｏｎｆｉｇｕｒａｔｉｏｎ）、ファームウェアアップグレード（ｆｉｒｍｗａｒｅ  ｕｐｇｒａｄｅ）、誤り報告（Ｅｒｒｏｒ  Ｒｅｐｏｒｔ）などの機能を有する。
【００４４】
−ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）：ネットワーク欠陥表示、性能情報、及びデータ診断機能を提供するネットワーク管理機能群。
【００４５】
−ＥＭＭ（ＥＰＳ  Ｍｏｂｉｌｉｔｙ  Ｍａｎａｇｅｍｅｎｔ）：ＮＡＳ層の副層であり、ＵＥがネットワークアタッチ（ａｔｔａｃｈ）されているか又はディタッチ（ｄｅｔａｃｈ）されているかによって、ＥＭＭは、“ＥＭＭ−Ｒｅｇｉｓｔｅｒｅｄ”状態又は“ＥＭＭ−Ｄｅｒｅｇｉｓｔｅｒｅｄ”状態を有することができる。
【００４６】
−ＥＣＭ（ＥＭＭ  Ｃｏｎｎｅｃｔｉｏｎ  Ｍａｎａｇｅｍｅｎｔ）接続（ｃｏｎｎｅｃｔｉｏｎ）：ＵＥとＭＭＥとの間に確立（ｅｓｔａｂｌｉｓｈ）された、ＮＡＳメッセージの交換（ｅｘｃｈａｎｇｅ）のためのシグナリング接続（ｃｏｎｎｅｃｔｉｏｎ）。ＥＣＭ接続は、ＵＥとｅＮＢ間のＲＲＣ接続と上記ｅＮＢとＭＭＥ間のＳ１シグナリング接続で構成された論理（ｌｏｇｉｃａｌ）接続である。ＥＣＭ接続が確立（ｅｓｔａｂｌｉｓｈ）／終結（ｔｅｒｍｉｎａｔｅ）すると、上記ＲＲＣ及びＳ１シグナリング接続も同様に確立／終結する。確立されたＥＣＭ接続は、ＵＥにとってはｅＮＢと確立されたＲＲＣ接続を有することを意味し、ＭＭＥにとっては上記ｅＮＢと確立されたＳ１シグナリング接続を有することを意味する。ＮＡＳシグナリング接続、即ち、ＥＣＭ接続が確立されているか否かによって、ＥＣＭは“ＥＣＭ−Ｃｏｎｎｅｃｔｅｄ”状態又は“ＥＣＭ−Ｉｄｌｅ”状態を有することができる。
【００４７】
−ＡＳ（Ａｃｃｅｓｓ−Ｓｔｒａｔｕｍ）：ＵＥと無線（或いはアクセス）ネットワークとの間のプロトコルスタックを含み、データ及びネットワーク制御信号の送信などを担当する。
【００４８】
−ＮＡＳ設定（ｃｏｎｆｉｇｕｒａｔｉｏｎ）ＭＯ（Ｍａｎａｇｅｍｅｎｔ  Ｏｂｊｅｃｔ）：ＮＡＳ機能（Ｆｕｎｃｔｉｏｎａｌｉｔｙ）に関連したパラメータ（ｐａｒａｍｅｔｅｒｓ）をＵＥに設定する過程で使われるＭＯ（Ｍａｎａｇｅｍｅｎｔ  ｏｂｊｅｃｔ）。
【００４９】
−ＰＤＮ（Ｐａｃｋｅｔ  Ｄａｔａ  Ｎｅｔｗｏｒｋ）：特定のサービスを支援するサーバ（例えば、ＭＭＳ（Ｍｕｌｔｉｍｅｄｉａ  Ｍｅｓｓａｇｉｎｇ  Ｓｅｒｖｉｃｅ）サーバ、ＷＡＰ（Ｗｉｒｅｌｅｓｓ  Ａｐｐｌｉｃａｔｉｏｎ  Ｐｒｏｔｏｃｏｌ）サーバなど）が位置しているネットワーク。
【００５０】
−ＡＰＮ（Ａｃｃｅｓｓ  Ｐｏｉｎｔ  Ｎａｍｅ）：ＰＤＮを示したり区分する文字列。要求したサービスやネットワークに接続するためには特定のＰ−ＧＷを経るが、このＰ−ＧＷを見つけ得るようにネットワーク内であらかじめ定義した名前（文字列）を意味する。（例えば、ｉｎｔｅｒｎｅｔ．ｍｎｃ０１２．ｍｃｃ３４５．ｇｐｒｓ）
【００５１】
−ＲＡＮ（Ｒａｄｉｏ  Ａｃｃｅｓｓ  Ｎｅｔｗｏｒｋ）：３ＧＰＰネットワークにおいてＮｏｄｅＢ、ｅＮｏｄｅＢ、及びそれらを制御するＲＮＣ（Ｒａｄｉｏ  Ｎｅｔｗｏｒｋ  Ｃｏｎｔｒｏｌｌｅｒ）を含む単位。ＵＥ同士の間に存在し、コアネットワークへの接続を提供する。
【００５２】
−ＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）：３ＧＰＰネットワークの加入者情報を有するデータベース。ＨＳＳは、設定記憶（ｃｏｎｆｉｇｕｒａｔｉｏｎ  ｓｔｏｒａｇｅ）、識別子管理（ｉｄｅｎｔｉｔｙ  ｍａｎａｇｅｍｅｎｔ）、ユーザ状態記憶などの機能を有することができる。
【００５３】
−ＰＬＭＮ（Ｐｕｂｌｉｃ  Ｌａｎｄ  Ｍｏｂｉｌｅ  Ｎｅｔｗｏｒｋ）：個人に移動通信サービスを提供する目的で構成されたネットワーク。オペレータ別に区分して構成することができる。
【００５４】
−ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）：一つのネットワークエンティティ（ｅｎｔｉｔｙ）であり、事業者単位でＵＥが使用可能な接続（ａｃｃｅｓｓ）を発見して選択するようにするポリシー（Ｐｏｌｉｃｙ）を提供。
【００５５】
−ＥＰＣ経路（又は、ｉｎｆｒａｓｔｒｕｃｔｕｒｅ  ｄａｔａ  ｐａｔｈ））：ＥＰＣを介したユーザプレーンコミュニケーション経路
【００５６】
−Ｅ−ＲＡＢ（Ｅ−ＵＴＲＡＮ  Ｒａｄｉｏ  Ａｃｃｅｓｓ  Ｂｅａｒｅｒ）：Ｓ１ベアラと該当のデータ無線ベアラとの接続（ｃｏｎｃａｔｅｎａｔｉｏｎ）をいう。Ｅ−ＲＡＢが存在すると、該Ｅ−ＲＡＢとＮＡＳのＥＰＳベアラとの間に一対一マッピングがある。
【００５７】
−ＧＴＰ（ＧＰＲＳ  Ｔｕｎｎｅｌｉｎｇ  Ｐｒｏｔｏｃｏｌ）：ＧＳＭ、ＵＭＴＳ及びＬＴＥネットワーク内で一般パケット無線サービス（ｇｅｎｅｒａｌ  ｐａｃｋｅｔ  ｒａｄｉｏ  ｓｅｒｖｉｃｅ；ＧＰＲＳ）を運ぶために用いられるＩＰベース通信プロトコルのグループ。３ＧＰＰアーキテクチャー内には、ＧＴＰ及びプロキシモバイルＩＰｖ６ベースインターフェースが様々なインターフェースポイント上に特定（ｓｐｅｃｉｆｙ）されている。ＧＴＰは、いくつかのプロトコル（例えば、ＧＴＰ−Ｃ、ＧＴＰ−Ｕ及びＧＴＰ’）に分解（ｄｅｃｏｍｐｏｓｅ）することができる。ＧＴＰ−Ｃは、ゲートウェイＧＰＲＳ支援ノード（ＧＧＳＮ）とサービングＧＰＲＳ支援ノード（ＳＧＳＮ）との間のシグナリングのためにＧＰＲＳコア（ｃｏｒｅ）ネットワーク内で用いられる。ＧＴＰ−Ｃは、上記ＳＧＳＮがユーザのためにセッションを活性化（ａｃｔｉｖａｔｅ）（例えば、ＰＤＮコンテキスト活性化（ａｃｔｉｖａｔｉｏｎ））すること、同一セッションを非活性化（ｄｅａｃｔｉｖａｔｅ）すること、サービスパラメータの品質（ｑｕａｌｉｔｙ）を調整（ａｄｊｕｓｔ）すること、又は他のＳＧＳＮから動作したばかりの加入者（ｓｕｂｓｃｒｉｂｅｒ）のためのセッションを更新すること、を許容する。ＧＴＰ−Ｕは上記ＧＰＲＳコアネットワーク内でそして無線アクセスネットワークとコアネットワークとの間でユーザデータを運ぶために用いられる。
【００５８】
−ｇＮＢ：ＵＥに向かうＮＲユーザプレーン及び制御プレーンプロトコル終結を提供し、次世代（ｎｅｘｔ  ｇｅｎｅｒａｔｉｏｎ、ＮＧ）インターフェース（例えば、ＮＧ-Ｃ、ＮＧ-Ｕ）を通じて５Ｇコアネットワーク（５ＧＣ）に接続されたノード。
【００５９】
−５Ｇコアネットワーク（５Ｇ  Ｃｏｒｅ  ｎｅｔｗｏｒｋ、５ＧＣ）：５Ｇアクセスネットワークに接続されるコアネットワーク。
【００６０】
−５Ｇアクセスネットワーク（ａｃｃｅｓｓ  ｎｅｔｗｏｒｋ）：５Ｇコアネットワークに接続する５Ｇ無線アクセスネットワーク（５Ｇ  ｒａｄｉｏ  ａｃｃｅｓｓ  ｎｅｔｗｏｒｋ、５Ｇ-ＲＡＮ）及び／又は非５Ｇアクセスネットワーク（ｎｏｎ−５Ｇ  ａｃｃｅｓｓ  ｎｅｔｗｏｒｋ、ｎｏｎ-５Ｇ-ＡＮ）を含むアクセスネットワーク。５Ｇ−ＲＡＮは次世代アクセスネットワーク（ｎｅｗ  ｇｅｎｅｒａｔｉｏｎ  ａｃｃｅｓｓ  ｎｅｔｗｏｒｋ、ＮＧ−ＲＡＮ）と呼ばれることもできる。
【００６１】
−５Ｇ無線アクセスネットワーク（５Ｇ  ｒａｄｉｏ  ａｃｃｅｓｓ  ｎｅｔｗｏｒｋ、５Ｇ−ＲＡＮ）（又はＲＡＮ）：５ＧＣに接続されるという共通の特徴を有し、他のオプションのうちの１つ以上を支援する無線アクセスネットワークを意味する：独立型の新しい無線（ｓｔａｎｄａｌｏｎｅ  ｎｅｗ  ｒａｄｉｏ）、進化したＥ−ＵＴＲＡ拡張を支援するアンカーである新しい無線（ｎｅｗ  ｒａｄｉｏ）、独立型Ｅ−ＵＴＲＡ（例えば、ｅＮＢ）、及び／又は新しい無線（ｎｅｗ  ｒａｄｉｏ）拡張を支援するアンカー。
【００６２】
−ネットワーク機能（ｎｅｔｗｏｒｋ  ｆｕｎｃｔｉｏｎ、ＮＦ）サービス：サービス基盤のインターフェースを通じてネットワーク機能（ｎｅｔｗｏｒｋ  ｆｕｎｃｔｉｏｎ、ＮＦ）により露出され（ｅｘｐｏｓｅ）、権限のある（ａｕｔｈｏｒｉｚｅｄ）他のＮＦにより消費される（ｃｏｎｓｕｍｅｄ）機能性（ｆｕｎｃｔｉｏｎａｌｉｔｙ）。
【００６３】
−５Ｇシステム：５Ｇアクセスネットワーク（ａｃｃｅｓｓ  ｎｅｔｗｏｒｋ、ＡＮ）、５Ｇコアネットワーク及びＵＥで構成される３ＧＰＰシステム。新しい無線（ｎｅｗ  ｒａｄｉｏ、ＮＲ）システム、或いは次世代（ｎｅｘｔ  ｇｅｎｅｒａｔｉｏｎ）システムとも呼ばれる。
【００６４】
−ネットワークスライス（ｎｅｔｗｏｒｋ  ｓｌｉｃｅ）：特定のネットワーク能力及びネットワークの特徴を提供する論理的なネットワーク。
【００６５】
−ネットワークスライスインスタンス（ｎｅｔｗｏｒｋ  ｓｌｉｃｅ  ｉｎｓｔａｎｃｅ）：配置されるネットワークスライスを形成するＮＦインスタンス及び要求されるリソース（例えば、計算、貯蔵及びネットワークリソース）のセット。
【００６６】
−パケットデータユニット（Ｐａｃｋｅｔ  ｄａｔａ  ｕｎｉｔ、ＰＤＵ）接続性サービス（ｃｏｎｎｅｃｔｉｖｉｔｙ  ｓｅｒｖｉｃｅ）：ＵＥとデータネットワークの間のＰＤＵの交換を提供するサービス。
【００６７】
−ＰＤＵセッション（ｓｅｓｓｉｏｎ）：ＰＤＵ接続性サービスを提供するＵＥとデータネットワークの間の関連（ａｓｓｏｃｉａｔｉｏｎ）。関連タイプはインターネットプロトコル（ｉｎｔｅｒｎｅｔ  ｐｒｏｔｏｃｏｌ、ＩＰ）タイプ、イーサネット（ｅｔｈｅｒｎｅｔ）タイプ又は非構造化された（ｕｎｓｔｒｕｃｔｕｒｅｄ）タイプであることができる。
【００６８】
−ＮＡＳ（Ｎｏｎ−Ａｃｃｅｓｓ  Ｓｔｒａｔｕｍ）：ＥＰＳ及び５Ｇシステム（５Ｇ  ｓｙｓｔｅｍ、５ＧＳ）プロトコルスタックにおいてＵＥとコア（ｃｏｒｅ）ネットワークの間のシグナリング、トラフィックメッセージをやり取りするための機能的層であって、ＵＥの移動性を支援し、ＵＥに対するセッション管理手順及びＩＰアドレス管理などを支援する。
【００６９】
−ＮＧＡＰ  ＵＥ関連（ａｓｓｏｃｉａｔｉｏｎ）：５Ｇ-ＡＮノードとアクセス及び移動性管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）の間のＵＥごとの論理関連（ｌｏｇｉｃａｌ  ｐｅｒ  ＵＥ  ａｓｓｏｃｉａｔｉｏｎ）。
【００７０】
−ＮＧ-ＲＡＮ：５Ｇシステムの無線アクセスネットワーク。
【００７１】
−ＮＧ-Ｃ：ＮＧ-ＲＡＮと５ＧＣの間の制御プレーンインターフェース。
【００７２】
−ＮＧ-Ｕ：ＮＧ-ＲＡＮと５ＧＣの間のユーザプレーンインターフェース。
【００７３】
図１は、ＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の構造を示す概略図である。
【００７４】
ＥＰＣは、３ＧＰＰ技術の性能を向上するためのＳＡＥ（Ｓｙｓｔｅｍ  Ａｒｃｈｉｔｅｃｔｕｒｅ  Ｅｖｏｌｕｔｉｏｎ）の肝心な要素である。ＳＡＥは、種々のネットワーク間の移動性を支援するネットワーク構造を決定する研究課題に該当する。ＳＡＥは、例えば、ＩＰベースで様々な無線アクセス技術を支援し、より向上したデータ送信キャパビリティを提供するなどの最適化したパケットベースシステムを提供することを目指す。
【００７５】
具体的に、ＥＰＣは、３ＧＰＰ  ＬＴＥシステムのためのＩＰ移動通信システムのコアネットワーク（Ｃｏｒｅ  Ｎｅｔｗｏｒｋ）であり、パケットベース実時間及び非実時間サービスを支援することができる。既存の移動通信システム（即ち、第２世代又は第３世代移動通信システム）では、音声のためのＣＳ（Ｃｉｒｃｕｉｔ−Ｓｗｉｔｃｈｅｄ）及びデータのためのＰＳ（Ｐａｃｋｅｔ−Ｓｗｉｔｃｈｅｄ）の２つの区別されるサブドメインによってコアネットワークの機能が具現化された。しかし、第３世代移動通信システムの進化である３ＧＰＰ  ＬＴＥシステムでは、ＣＳ及びＰＳのサブドメインが一つのＩＰドメインに単一化された。即ち、３ＧＰＰ  ＬＴＥシステムでは、ＩＰキャパビリティ（ｃａｐａｂｉｌｉｔｙ）を有するＵＥとＵＥとの接続を、ＩＰベースの基地局（例えば、ｅＮｏｄｅＢ（ｅｖｏｌｖｅｄ  Ｎｏｄｅ  Ｂ））、ＥＰＣ、アプリケーションドメイン（例えば、ＩＭＳ（ＩＰ  Ｍｕｌｔｉｍｅｄｉａ  Ｓｕｂｓｙｓｔｅｍ））によって構成することができる。即ち、ＥＰＣはエンドツーエンド  （ｅｎｄ−ｔｏ−ｅｎｄ）ＩＰサービスの具現化に必須な構造である。
【００７６】
ＥＰＣは様々な構成要素を含むことができ、図１ではその一部に該当する、ＳＧＷ（Ｓｅｒｖｉｎｇ  Ｇａｔｅｗａｙ）、ＰＤＮ  ＧＷ（Ｐａｃｋｅｔ  Ｄａｔａ  Ｎｅｔｗｏｒｋ  Ｇａｔｅｗａｙ）、ＭＭＥ（Ｍｏｂｉｌｉｔｙ  Ｍａｎａｇｅｍｅｎｔ  Ｅｎｔｉｔｙ）、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔｉｎｇ  Ｎｏｄｅ）、ｅＰＤＧ（ｅｎｈａｎｃｅｄ  Ｐａｃｋｅｔ  Ｄａｔａ  Ｇａｔｅｗａｙ）を示す。
【００７７】
ＳＧＷ（又はＳ−ＧＷ）は無線アクセスネットワーク（ＲＡＮ）とコアネットワークとの間の境界点として動作し、ｅＮＢとＰＤＮ  ＧＷとの間のデータ経路を維持する機能を有する要素である。また、ＵＥがｅＮＢによってサービング（ｓｅｒｖｉｎｇ）される領域にわたって移動する場合、ＳＧＷはローカル移動性アンカーポイント（ａｎｃｈｏｒ  ｐｏｉｎｔ）の役割を担う。即ち、Ｅ−ＵＴＲＡＮ（３ＧＰＰリリース−８以降に定義されるＥｖｏｌｖｅｄ−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  Ｔｅｒｒｅｓｔｒｉａｌ  Ｒａｄｉｏ  Ａｃｃｅｓｓ  Ｎｅｔｗｏｒｋ）における移動性のために、ＳＧＷを介してパケットをルーティングすることができる。また、ＳＧＷは、他の３ＧＰＰネットワーク（３ＧＰＰリリース−８以前に定義されるＲＡＮ、例えば、ＵＴＲＡＮ又はＧＥＲＡＮ（ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）／ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）Ｒａｄｉｏ  Ａｃｃｅｓｓ  Ｎｅｔｗｏｒｋ）との移動性のためのアンカーポイントとして機能してもよい。
【００７８】
ＰＤＮ  ＧＷ（又はＰ−ＧＷ）は、パケットデータネットワークに向かうデータインターフェースの終了点（ｔｅｒｍｉｎａｔｉｏｎ  ｐｏｉｎｔ）に該当する。ＰＤＮ  ＧＷは、ポリシー執行特徴（ｐｏｌｉｃｙ  ｅｎｆｏｒｃｅｍｅｎｔ  ｆｅａｔｕｒｅｓ）、パケットフィルタリング（ｐａｃｋｅｔ  ｆｉｌｔｅｒｉｎｇ）、課金支援（ｃｈａｒｇｉｎｇ  ｓｕｐｐｏｒｔ）などを支援することができる。また、３ＧＰＰネットワークと非３ＧＰＰネットワーク（例えば、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｗｏｒｋ）のような信頼できないネットワーク、ＣＤＭＡ（Ｃｏｄｅ  Ｄｉｖｉｓｉｏｎ  Ｍｕｌｔｉｐｌｅ  Ａｃｃｅｓｓ）ネットワークやＷｉＭａｘのような信頼できるネットワーク）との移動性管理のためのアンカーポイントの役目を担うことができる。
【００７９】
図１のネットワーク構造の例示では、ＳＧＷとＰＤＮ  ＧＷが別個のゲートウェイで構成されることを示しているが、２つのゲートウェイが単一ゲートウェイ構成オプション（Ｓｉｎｇｌｅ  Ｇａｔｅｗａｙ  Ｃｏｎｆｉｇｕｒａｔｉｏｎ  Ｏｐｔｉｏｎ）によって具現化されてもよい。
【００８０】
ＭＭＥは、ＵＥのネットワーク接続に対するアクセス、ネットワークリソースの割り当て、トラッキング（ｔｒａｃｋｉｎｇ）、ページング（ｐａｇｉｎｇ）、ローミング（ｒｏａｍｉｎｇ）及びハンドオーバーなどを支援するためのシグナリング及び制御機能を有する要素である。ＭＭＥは、加入者及びセッション管理に関連した制御プレーン（ｃｏｎｔｒｏｌ  ｐｌａｎｅ）機能を制御する。ＭＭＥは多数のｅＮＢを管理し、他の２Ｇ／３Ｇネットワークに対するハンドオーバーのための従来のゲートウェイの選択のためのシグナリングを行う。また、ＭＭＥは、セキュリティ手順（Ｓｅｃｕｒｉｔｙ  Ｐｒｏｃｅｄｕｒｅｓ）、端末対ネットワークセッションハンドリング（Ｔｅｒｍｉｎａｌ−ｔｏ−ｎｅｔｗｏｒｋ  Ｓｅｓｓｉｏｎ  Ｈａｎｄｌｉｎｇ）、休止端末位置決定管理（Ｉｄｌｅ  Ｔｅｒｍｉｎａｌ  Ｌｏｃａｔｉｏｎ  Ｍａｎａｇｅｍｅｎｔ）などの機能を有する。
【００８１】
ＳＧＳＮは、別の３ＧＰＰネットワーク（例えば、ＧＰＲＳネットワーク）に対するユーザの移動性管理及び認証（ａｕｔｈｅｎｔｉｃａｔｉｏｎ）のような全てのパケットデータをハンドリングする。
【００８２】
ｅＰＤＧは、信頼できない非３ＧＰＰネットワーク（例えば、Ｉ−ＷＬＡＮ、ＷｉＦｉホットスポット（ｈｏｔｓｐｏｔ）など）に対するセキュリティノードとしての役割を担う。
【００８３】
図１を参照して説明したように、ＩＰ能力（ｃａｐａｂｉｌｉｔｙ）を有するＵＥは、３ＧＰＰアクセスはもとより、非３ＧＰＰアクセスベースでもＥＰＣ内の様々な要素を経由して、事業者（即ち、運営者（ｏｐｅｒａｔｏｒ））が提供するＩＰサービスネットワーク（例えば、ＩＭＳ）にアクセスすることができる。
【００８４】
また、図１は、様々な参照ポイント（ｒｅｆｅｒｅｎｃｅ  ｐｏｉｎｔ）（例えば、Ｓ１−Ｕ、Ｓ１−ＭＭＥなど）を示している。３ＧＰＰシステムでは、Ｅ−ＵＴＲＡＮ及びＥＰＣにおける個別の機能エンティティ（ｆｕｎｃｔｉｏｎａｌ  ｅｎｔｉｔｙ）に存在する２個の機能を接続する概念的なリンクを参照ポイントと定義する。次の表１に、図１に示した参照ポイントを整理する。表１の例示の他に、ネットワーク構造によって様々な参照ポイントが存在してもよい。
【００８５】
【表１】
0006821821.tif 000002
【００８６】
図１に示す参照ポイントのうち、Ｓ２ａ及びＳ２ｂは非３ＧＰＰインターフェースに該当する。Ｓ２ａは、信頼できる非３ＧＰＰアクセス及びＰＤＮ  ＧＷ間の関連制御及び移動性支援を、ユーザプレーンに提供する参照ポイントである。Ｓ２ｂは、ｅＰＤＧ及びＰＤＮ  ＧＷ間の関連制御及び移動性支援を、ユーザプレーンに提供する参照ポイントである。
【００８７】
図２は、一般的なＥ−ＵＴＲＡＮとＥＰＣのアーキテクチャーを示す例示図である。
【００８８】
同図に示すように、ｅＮＢはＲＲＣ（Ｒａｄｉｏ  Ｒｅｓｏｕｒｃｅ  Ｃｏｎｔｒｏｌ）接続が活性化されている間に、ゲートウェイへのルーティング、ページングメッセージのスケジューリング及び送信、放送チャネル（ＢＣＨ）のスケジューリング及び送信、アップリンク及びダウンリンクにおけるリソースのＵＥへの動的割り当て、ｅＮＢの測定のための設定及び提供、無線ベアラ制御、無線許可制御（ｒａｄｉｏ  ａｄｍｉｓｓｉｏｎ  ｃｏｎｔｒｏｌ）、そして接続移動性制御などのための機能を有することができる。ＥＰＣ内ではページング発生、ＬＴＥ＿ＩＤＬＥ状態管理、ユーザプレーンの暗号化、ＳＡＥベアラ制御、ＮＡＳシグナリングの暗号化及び完全性保護機能を有することができる。
【００８９】
図３は、ＵＥとｅＮＢとの間の制御プレーンにおける無線インターフェースプロトコル（Ｒａｄｉｏ  Ｉｎｔｅｒｆａｃｅ  Ｐｒｏｔｏｃｏｌ）の構造を示す例示図であり、図４は、ＵＥとｅＮＢとの間のユーザプレーンにおける無線インターフェースプロトコルの構造を示す例示図である。
【００９０】
上記無線インターフェースプロトコルは３ＧＰＰ無線アクセスネットワーク規格に基づく。上記無線インターフェースプロトコルは、水平的に、物理層（Ｐｈｙｓｉｃａｌ  Ｌａｙｅｒ）、データリンク層（Ｄａｔａ  Ｌｉｎｋ  Ｌａｙｅｒ）及びネットワーク層（Ｎｅｔｗｏｒｋ  Ｌａｙｅｒ）からなり、垂直的には、データ情報送信のためのユーザプレーン（Ｕｓｅｒ  Ｐｌａｎｅ）と制御信号（Ｓｉｇｎａｌｉｎｇ）伝達のための制御プレーン（Ｃｏｎｔｒｏｌ  Ｐｌａｎｅ）とに区分される。
【００９１】
それらのプロトコル層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルにおける下位３層に基づいてＬ１（第１層）、Ｌ２（第２層）、Ｌ３（第３層）に区分することができる。
【００９２】
以下では、図３に示した制御プレーンの無線プロトコルと、図４に示すユーザプレーンにおける無線プロトコルの各層について説明する。
【００９３】
第１層である物理層は、物理チャネル（Ｐｈｙｓｉｃａｌ  Ｃｈａｎｎｅｌ）を用いて情報送信サービス（Ｉｎｆｏｒｍａｔｉｏｎ  Ｔｒａｎｓｆｅｒ  Ｓｅｒｖｉｃｅ）を提供する。上記物理層は上位にある媒体アクセス制御（Ｍｅｄｉｕｍ  Ａｃｃｅｓｓ  Ｃｏｎｔｒｏｌ）層とはトランスポートチャネル（Ｔｒａｎｓｐｏｒｔ  Ｃｈａｎｎｅｌ）を介して接続されており、上記トランスポートチャネルを介して媒体アクセス制御層と物理層との間のデータが伝達される。そして、異なる物理層の間、即ち、送信側の物理層と受信側の物理層との間には物理チャネルを介してデータが伝達される。
【００９４】
物理チャネル（Ｐｈｙｓｉｃａｌ  Ｃｈａｎｎｅｌ）は、時間軸上にある複数のサブフレームと周波数軸上にある複数の副搬送波（ｓｕｂｃａｒｒｉｅｒ）とで構成される。ここで、一つのサブフレーム（ｓｕｂｆｒａｍｅ）は時間軸上で複数のＯＦＤＭシンボル（ｓｙｍｂｏｌ）と複数の副搬送波とで構成される。一つのサブフレームは複数のリソースブロック（Ｒｅｓｏｕｒｃｅ  Ｂｌｏｃｋ）で構成され、一つのリソースブロックは複数のＯＦＤＭシンボル（Ｓｙｍｂｏｌ）と複数の副搬送波とで構成される。データが送信される単位時間であるＴＴＩ（Ｔｒａｎｓｍｉｓｓｉｏｎ  Ｔｉｍｅ  Ｉｎｔｅｒｖａｌ）は、１個のサブフレームに該当する１ｍｓである。
【００９５】
上記送信側と受信側の物理層に存在する物理チャネルは、３ＧＰＰ  ＬＴＥによれば、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）と、制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）などに区別される。
【００９６】
第２層には様々な層が存在する。まず、第２層の媒体アクセス制御（Ｍｅｄｉｕｍ  Ａｃｃｅｓｓ  Ｃｏｎｔｒｏｌ；ＭＡＣ）層は、様々な論理チャネル（Ｌｏｇｉｃａｌ  Ｃｈａｎｎｅｌ）を様々なトランスポートチャネルにマップさせる役割を担い、且つ複数の論理チャネルを一つのトランスポートチャネルにマップさせる論理チャネル多重化（Ｍｕｌｔｉｐｌｅｘｉｎｇ）の役割を担う。ＭＡＣ層は上位層であるＲＬＣ層とは論理チャネル（Ｌｏｇｉｃａｌ  Ｃｈａｎｎｅｌ）で接続されており、論理チャネルは、送信される情報の種類によって、概ね、制御プレーン（Ｃｏｎｔｒｏｌ  Ｐｌａｎｅ）の情報を送信する制御チャネル（Ｃｏｎｔｒｏｌ  Ｃｈａｎｎｅｌ）とユーザプレーン（Ｕｓｅｒ  Ｐｌａｎｅ）の情報を送信するトラフィックチャネル（Ｔｒａｆｆｉｃ  Ｃｈａｎｎｅｌ）とに区別される。
【００９７】
第２層における無線リンク制御（Ｒａｄｉｏ  Ｌｉｎｋ  Ｃｏｎｔｒｏｌ；ＲＬＣ）層は、上位層から受信したデータを分割（Ｓｅｇｍｅｎｔａｔｉｏｎ）及び連結（Ｃｏｎｃａｔｅｎａｔｉｏｎ）して、下位層が無線区間でデータを送信するのに適するようにデータサイズを調節する役割を担う。
【００９８】
第２層におけるパケットデータコンバージェンス（Ｐａｃｋｅｔ  Ｄａｔａ  Ｃｏｎｖｅｒｇｅｎｃｅ  Ｐｒｏｔｏｃｏｌ；ＰＤＣＰ）層は、ＩＰｖ４やＩＰｖ６のようなＩＰパケット送信時に、帯域幅の小さい無線区間で効率的に送信するために、相対的にサイズが大きいと共に不要な制御情報を含んでいるＩＰパケットヘッダーサイズを減らすヘッダー圧縮（Ｈｅａｄｅｒ  Ｃｏｍｐｒｅｓｓｉｏｎ）機能を有する。また、ＬＴＥシステムでは、ＰＤＣＰ層がセキュリティ（Ｓｅｃｕｒｉｔｙ）機能も担うが、これは、第３者のデータ傍受を防止する暗号化（Ｃｉｐｈｅｒｉｎｇ）及び第３者のデータ操作を防止する完全性保護（Ｉｎｔｅｇｒｉｔｙ  ｐｒｏｔｅｃｔｉｏｎ）で構成される。
【００９９】
第３層の最上部に位置している無線リソース制御（Ｒａｄｉｏ  Ｒｅｓｏｕｒｃｅ  Ｃｏｎｔｒｏｌ；以下、ＲＲＣと略す。）層は、制御プレーンにおいてのみ定義され、無線ベアラ（Ｒａｄｉｏ  Ｂｅａｒｅｒ；ＲＢと略す。）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して論理チャネル、トランスポートチャネル及び物理チャネルの制御を担当する。このとき、ＲＢは、ＵＥとＥ−ＵＴＲＡＮとの間のデータ伝達のために第２層によって提供されるサービスを意味する。
【０１００】
ＵＥのＲＲＣ層と無線ネットワークのＲＲＣ層との間にＲＲＣ接続（ＲＲＣ  ｃｏｎｎｅｃｔｉｏｎ）が確立された（ｅｓｔａｂｌｉｓｈｅｄ）場合、ＵＥはＲＲＣ接続モード（Ｃｏｎｎｅｃｔｅｄ  Ｍｏｄｅ）にあり、そうでない場合、ＲＲＣ休止モード（Ｉｄｌｅ  Ｍｏｄｅ）にある。
【０１０１】
以下、ＵＥのＲＲＣ状態（ＲＲＣ  ｓｔａｔｅ）及びＲＲＣ接続方法について説明する。ＲＲＣ状態とは、ＵＥのＲＲＣがＥ−ＵＴＲＡＮのＲＲＣと論理的接続（ｌｏｇｉｃａｌ  ｃｏｎｎｅｃｔｉｏｎ）となっているか否かを指し、接続されている場合はＲＲＣ＿ＣＯＮＮＥＣＴＥＤ状態（ｓｔａｔｅ）、接続されていない場合はＲＲＣ＿ＩＤＬＥ状態と呼ぶ。ＲＲＣ＿ＣＯＮＮＥＣＴＥＤ状態のＵＥはＲＲＣ接続が存在するので、Ｅ−ＵＴＲＡＮは当該ＵＥの存在をセル単位で把握でき、これによってＵＥを効果的に制御することができる。一方、ＲＲＣ＿ＩＤＬＥ状態のＵＥの場合、Ｅ−ＵＴＲＡＮが当該ＵＥの存在を把握できず、セルよりも大きい地域単位であるＴＡ（Ｔｒａｃｋｉｎｇ  Ａｒｅａ）単位でコアネットワークが管理する。即ち、ＲＲＣ＿ＩＤＬＥ状態のＵＥは、セルに比べて大きい地域単位で当該ＵＥの存在有無だけが把握され、音声やデータのような通常の移動通信サービスを受けるためには、当該ＵＥがＲＲＣ＿ＣＯＮＮＥＣＴＥＤ状態に遷移する必要がある。各ＴＡはＴＡＩ（Ｔｒａｃｋｉｎｇ  Ａｒｅａ  Ｉｄｅｎｔｉｔｙ）によって区別される。ＵＥは、セルで放送（ｂｒｏａｄｃａｓｔｉｎｇ）される情報であるＴＡＣ（Ｔｒａｃｋｉｎｇ  Ａｒｅａ  Ｃｏｄｅ）を用いてＴＡＩを構成することができる。
【０１０２】
ユーザがＵＥの電源を最初につけたとき、まず、ＵＥは適切なセルを探索して当該セルでＲＲＣ接続を結び、コアネットワークにＵＥの情報を登録する。その後、ＵＥはＲＲＣ＿ＩＤＬＥ状態にとどまる。ＲＲＣ＿ＩＤＬＥ状態にとどまっているＵＥは必要によってセルを（再）選択し、システム情報（Ｓｙｓｔｅｍ  Ｉｎｆｏｒｍａｔｉｏｎ）やページング情報を調べる。これをセルにキャンプオン（ｃａｍｐ  ｏｎ）するという。ＲＲＣ＿ＩＤＬＥ状態にとどまっていたＵＥはＲＲＣ接続を確立する必要がある時に初めてＲＲＣ接続手順（ＲＲＣ  ｃｏｎｎｅｃｔｉｏｎ  ｐｒｏｃｅｄｕｒｅ）によってＥ−ＵＴＲＡＮのＲＲＣとＲＲＣ接続を確立し、ＲＲＣ＿ＣＯＮＮＥＣＴＥＤ状態に遷移する。ＲＲＣ＿ＩＤＬＥ状態にとどまっているＵＥがＲＲＣ接続を確立する必要がある場合は様々であり、例えば、ユーザの通話試み、データ送信試み、或いはＥ−ＵＴＲＡＮからページングメッセージを受信した場合にそれに対する応答メッセージ送信などを挙げることができる。
【０１０３】
上記ＲＲＣ層の上位に位置するＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を有する。
【０１０４】
次に、図３に示したＮＡＳ層について詳しく説明する。
【０１０５】
ＮＡＳ層に属するＥＳＭ（Ｅｖｏｌｖｅｄ  Ｓｅｓｓｉｏｎ  Ｍａｎａｇｅｍｅｎｔ）は、デフォルトベアラ（ｄｅｆａｕｌｔ  ｂｅａｒｅｒ）管理、専用ベアラ（ｄｅｄｉｃａｔｅｄ  ｂｅａｒｅｒ）管理のような機能を果たし、ＵＥがネットワークからＰＳサービスを利用するための制御を担当する。デフォルトベアラリソースは、特定ＰＤＮ（Ｐａｃｋｅｔ  Ｄａｔａ  Ｎｅｔｗｏｒｋ）に最初に接続する時に、ネットワークに接続される際にネットワークから割り当てられるという特徴を有する。このとき、ネットワークは、ＵＥがデータサービスを用い得るようにＵＥにとって使用可能なＩＰアドレスを割り当て、またデフォルトベアラのＱｏＳを割り当てる。ＬＴＥでは、大きく、データ送信／受信のための特定帯域幅を保証するＧＢＲ（Ｇｕａｒａｎｔｅｅｄ  ｂｉｔ  ｒａｔｅ）ＱｏＳ特性を有するベアラと、帯域幅の保証無しでベストエフォートＱｏＳ（Ｂｅｓｔ  ｅｆｆｏｒｔ  ＱｏＳ）特性を有するＮｏｎ−ＧＢＲベアラの２種類を支援する。デフォルトベアラの場合、Ｎｏｎ−ＧＢＲベアラが割り当てられる。専用ベアラの場合には、ＧＢＲ又はＮｏｎ−ＧＢＲのＱｏＳ特性を有するベアラが割り当てられる。
【０１０６】
ネットワークでＵＥに割り当てたベアラをＥＰＳ（ｅｖｏｌｖｅｄ  ｐａｃｋｅｔ  ｓｅｒｖｉｃｅ）ベアラと呼び、ＥＰＳベアラを割り当てる際に、ネットワークは一つのＩＤを割り当てる。これをＥＰＳベアラＩＤと呼ぶ。一つのＥＰＳベアラはＭＢＲ（ｍａｘｉｍｕｍ  ｂｉｔ  ｒａｔｅ）又は／及びＧＢＲ（ｇｕａｒａｎｔｅｅｄ  ｂｉｔ  ｒａｔｅ）のＱｏＳ特性を有する。
【０１０７】
図５は、ユーザプレーン及び制御プレーンのためのＬＴＥプロトコルスタックを例示する図である。図５（ａ）は、ユーザプレーンプロトコルスタックをＵＥ−ｅＮＢ−ＳＧＷ−ＰＧＷ−ＰＤＮにわたって例示しており、図５（ｂ）は、制御プレーンプロトコルスタックをＵＥ−ｅＮＢ−ＭＭＥ−ＳＧＷ−ＰＧＷにわたって例示している。プロトコルスタックのキー（ｋｅｙ）層の機能（ｆｕｎｃｔｉｏｎ）を簡略に説明すると次のとおりである。
【０１０８】
図５（ａ）を参照すると、ＧＴＰ−Ｕプロトコルは、Ｓ１−Ｕ／Ｓ５／Ｘ２インターフェース上でユーザＩＰパケットをフォワードするために用いられる。ＧＴＰトンネルがＬＴＥハンドオーバー中にデータフォワーディングのために確立されると、終端マーカーパケット（Ｅｎｄ  Ｍａｒｋｅｒ  Ｐａｃｋｅｔ）が最後のパケットとして上記ＧＴＰトンネル上で伝達（ｔｒａｎｓｆｅｒ）される。
【０１０９】
図５（ｂ）を参照すると、Ｓ１ＡＰプロトコルはＳ１−ＭＭＥインターフェースに適用される。Ｓ１ＡＰプロトコルは、Ｓ１インターフェース管理、Ｅ−ＲＡＢ管理、ＮＡＳシグナリング伝達及びＵＥコンテキスト管理のような機能を支援する。Ｓ１ＡＰプロトコルは、Ｅ−ＲＡＢをセットアップするために初期ＵＥコンテキストをｅＮＢに伝達し、その後、上記ＵＥコンテキストの修正或いは解除を管理する。Ｓ１１／Ｓ５インターフェースにはＧＴＰ−Ｃプロトコルが適用される。ＧＴＰ−ＣプロトコルはＧＴＰトンネルの生成、修正（ｍｏｄｉｆｉｃａｔｉｏｎ）及び終了（ｔｅｒｍｉｎａｔｉｏｎ）のための制御情報の交換（ｅｘｃｈａｎｇｅ）を支援する。ＧＴＰ−ＣプロトコルはＬＴＥハンドオーバーの場合にデータフォワーディングトンネルを生成する。
【０１１０】
図３及び図４に例示されたプロトコルスタック及びインターフェースに関する説明は、図５における同一のプロトコルスタック及びインターフェースにもそのまま適用することができる。
【０１１１】
図６は、３ＧＰＰ  ＬＴＥにおいてランダムアクセス手順を示すフローチャートである。
【０１１２】
ランダムアクセス手順は、ＵＥが基地局とＵＬ同期を取るか、又はＵＥにＵＬ無線リソースを割り当てるために行われる。
【０１１３】
ＵＥはルートインデックス（ｒｏｏｔ  ｉｎｄｅｘ）とＰＲＡＣＨ（ｐｈｙｓｉｃａｌ  ｒａｎｄｏｍ  ａｃｃｅｓｓ  ｃｈａｎｎｅｌ）設定インデックス（ｃｏｎｆｉｇｕｒａｔｉｏｎ  ｉｎｄｅｘ）をｅＮＢから受信する。各セルごとにＺＣ（Ｚａｄｏｆｆ−Ｃｈｕ）シーケンスによって定義される６４個の候補（ｃａｎｄｉｄａｔｅ）ランダムアクセス（ｒａｎｄｏｍ  ａｃｃｅｓｓ；ＲＡ）プリアンブルがあり、ルートインデックスは、ＵＥが６４個の候補ランダムアクセスプリアンブルを生成するための論理的インデックスである。
【０１１４】
ランダムアクセスプリアンブルの送信は、各セルごとに特定の時間及び周波数リソースに限定される。ＰＲＡＣＨ設定インデックスは、ランダムアクセスプリアンブルの送信が可能な特定サブフレームとプリアンブルフォーマットを示す。
【０１１５】
ランダムアクセス手順、特に、競合ベースランダムアクセス手順は、次の３段階を含む。次の段階１、２、３で送信されるメッセージはそれぞれ、ｍｓｇ１、ｍｓｇ２、ｍｓｇ４とも呼ばれる。
【０１１６】
＞１．ＵＥは任意に選択されたランダムアクセスプリアンブルをｅＮＢに送信する。ＵＥは６４個の候補ランダムアクセスプリアンブルから一つを選択する。そして、ＰＲＡＣＨ設定インデックスによって該当のサブフレームを選択する。ＵＥは、選択されたランダムアクセスプリアンブルを選択されたサブフレームで送信する。
【０１１７】
＞２．上記ランダムアクセスプリアンブルを受信したｅＮＢは、ランダムアクセス応答（ｒａｎｄｏｍ  ａｃｃｅｓｓ  ｒｅｓｐｏｎｓｅ；ＲＡＲ）をＵＥに送る。ランダムアクセス応答は２段階で検出される。まず、ＵＥはＲＡ−ＲＮＴＩ（ｒａｎｄｏｍ  ａｃｃｅｓｓ−ＲＮＴＩ）でマスクされたＰＤＣＣＨを検出する。ＵＥは、検出されたＰＤＣＣＨが示すＰＤＳＣＨ上でＭＡＣ（Ｍｅｄｉｕｍ  Ａｃｃｅｓｓ  Ｃｏｎｔｒｏｌ）ＰＤＵ（Ｐｒｏｔｏｃｏｌ  Ｄａｔａ  Ｕｎｉｔ）内のランダムアクセス応答を受信する。ＲＡＲは、ＵＬ同期化のためのタイミングオフセット情報を示すタイミングアドバンス（ｔｉｍｉｎｇ  ａｄｖａｎｃｅ；ＴＡ）情報、ＵＬリソース割り当て情報（ＵＬグラント情報）、一時的ＵＥ識別子（例えば、ｔｅｍｐｏｒａｒｙ  ｃｅｌｌ−ＲＮＴＩ；ＴＣ−ＲＮＴＩ）などを含む。
【０１１８】
＞３．ＵＥは、ＲＡＲ内のリソース割り当て情報（即ち、スケジューリング情報）及びＴＡ値によってＵＬ送信を行うことができる。ＲＡＲに対応するＵＬ送信にはＨＡＲＱが適用される。従って、ＵＥはＵＬ送信を行った後、上記ＵＬ送信に対応する受信応答情報（例えば、ＰＨＩＣＨ）を受信することができる。
【０１１９】
図７は、無線リソース制御（ＲＲＣ）層における接続手順を示す図である。
【０１２０】
図７に示すように、ＲＲＣ接続が確立されたか否かによってＲＲＣ状態が表されている。ＲＲＣ状態とは、ＵＥのＲＲＣ層のエンティティ（ｅｎｔｉｔｙ）がｅＮＢのＲＲＣ層のエンティティと論理的接続（ｌｏｇｉｃａｌ  ｃｏｎｎｅｃｔｉｏｎ）されているか否かをいい、接続されている場合はＲＲＣ接続状態（ｃｏｎｎｅｃｔｅｄ  ｓｔａｔｅ）といい、接続されていない状態をＲＲＣ休止状態（ｉｄｌｅ  ｓｔａｔｅ）という。
【０１２１】
上記接続状態（Ｃｏｎｎｅｃｔｅｄ  ｓｔａｔｅ）のＵＥは、ＲＲＣ接続（ｃｏｎｎｅｃｔｉｏｎ）が存在するので、Ｅ−ＵＴＲＡＮは当該ＵＥの存在をセル単位で把握でき、ＵＥを効果的に制御することができる。一方、休止モード（ｉｄｌｅ  ｓｔａｔｅ）のＵＥはｅＮＢによって把握されず、セルよりも大きい地域単位であるトラッキング地域（Ｔｒａｃｋｉｎｇ  Ａｒｅａ）単位でコアネットワークが管理する。上記トラッキング地域（Ｔｒａｃｋｉｎｇ  Ａｒｅａ）はセルの集合単位である。即ち、休止モード（ｉｄｌｅ  ｓｔａｔｅ）ＵＥは大きい地域単位で存在の有無のみが把握され、音声やデータのような通常の移動通信サービスを受けるためにはＵＥは接続状態（ｃｏｎｎｅｃｔｅｄ  ｓｔａｔｅ）に遷移する必要がある。
【０１２２】
ユーザがＵＥの電源を最初につけた時、上記ＵＥはまず、適切なセルを探索した後、当該セルでＲＲＣ＿ＩＤＬＥにとどまる。ＲＲＣ＿ＩＤＬＥにとどまっていたＵＥはＲＲＣ接続を確立する必要がある時に初めてＲＲＣ接続手順（ＲＲＣ  ｃｏｎｎｅｃｔｉｏｎ  ｐｒｏｃｅｄｕｒｅ）によってｅＮＢのＲＲＣ層とＲＲＣ接続を確立し、ＲＲＣ接続状態（ＲＲＣ＿ＣＯＮＮＥＣＴＥＤ）に遷移する。
【０１２３】
ＲＲＣ＿ＣＯＮＮＥＣＴＥＤにとどまっているＵＥがＲＲＣ接続を確立する必要がある場合は様々であり、例えば、ユーザの通話試み、上りデータ送信、或いはＥＵＴＲＡＮからページングメッセージを受信した場合にそれに対する応答メッセージ送信などを挙げることができる。
【０１２４】
ＲＲＣ＿ＩＤＬＥのＵＥ（ＵＥ  ｉｎ  ＲＲＣ＿ＩＤＬＥ）が上記ｅＮＢとＲＲＣ接続を確立するためには、上述したように、ＲＲＣ接続手順（ＲＲＣ  ｃｏｎｎｅｃｔｉｏｎ  ｐｒｏｃｅｄｕｒｅ）を行う必要がある。ＲＲＣ接続手順は、大きく、ＵＥがｅＮＢにＲＲＣ接続要求（ＲＲＣ  ｃｏｎｎｅｃｔｉｏｎ  ｒｅｑｕｅｓｔ）メッセージを送信する過程、ｅＮＢがＵＥにＲＲＣ接続セットアップ（ＲＲＣ  ｃｏｎｎｅｃｔｉｏｎ  ｓｅｔｕｐ）メッセージを送信する過程、そしてＵＥがｅＮＢにＲＲＣ接続セットアップ完了（ＲＲＣ  ｃｏｎｎｅｃｔｉｏｎ  ｓｅｔｕｐ  ｃｏｍｐｌｅｔｅ）メッセージを送信する過程を含む。
【０１２５】
＞１．ＲＲＣ＿ＩＤＬＥのＵＥは通話試み、データ送信試み、又はｅＮＢのページングに対する応答などの理由でＲＲＣ接続を確立しようとする場合、まず、上記ＵＥはＲＲＣ接続要求（ＲＲＣ  ｃｏｎｎｅｃｔｉｏｎ  ｒｅｑｕｅｓｔ）メッセージをｅＮＢに送信する。
【０１２６】
＞２．上記ＵＥからＲＲＣ接続要求メッセージを受信すれば、上記ｅＮＢは無線リソースが十分である場合には上記ＵＥのＲＲＣ接続要求を受諾し、応答メッセージであるＲＲＣ接続セットアップ（ＲＲＣ  ｃｏｎｎｅｃｔｉｏｎ  ｓｅｔｕｐ）メッセージを上記ＵＥに送信する。
【０１２７】
＞３．上記ＵＥが上記ＲＲＣ接続セットアップメッセージを受信すれば、上記ｅＮＢにＲＲＣ接続セットアップ完了（ＲＲＣ  ｃｏｎｎｅｃｔｉｏｎ  ｓｅｔｕｐ  ｃｏｍｐｌｅｔｅ）メッセージを送信する。
【０１２８】
ＵＥがＲＲＣ接続設定メッセージの送信に成功すると、初めてＵＥはｅＮＢとＲＲＣ接続され、ＲＲＣ＿ＣＯＮＮＥＣＴＥＤモードに遷移する。
【０１２９】
現在３ＧＰＰでは、ＥＰＣ以後の次世代移動通信システム、即ち５Ｇシステムに対する研究が行われている。５Ｇシステムは、第４世代ＬＴＥ移動通信技術から進歩した技術であり、既存の移動通信網構造の改善（ｅｖｏｌｕｔｉｏｎ）或いはクリーンステート（ｃｌｅａｎ-ｓｔａｔｅ）構造により、新しい無線アクセス技術（ｒａｄｉｏ  ａｃｃｅｓｓ  ｔｅｃｈｎｏｌｏｇｙ、ＲＡＴ）、ｅＬＴＥ、非３ＧＰＰ（例えば、ＷＬＡＮ）接続などを支援する。
【０１３０】
図８は５Ｇシステムアーキテクチャーを例示する図である。特に、図８（ａ）は参照ポイント表現を用いた５Ｇシステムアーキテクチャーを例示しており、図８（ｂ）はサービスベースの表現を用いた５Ｇシステムアーキテクチャーを例示している。５Ｇシステムアーキテクチャーはサービスベースで定義され、ネットワーク機能（ｎｅｔｗｏｒｋ  ｆｕｎｃｔｉｏｎ、ＮＦ）の間の相互作用（ｉｎｔｅｒａｃｔｉｏｎ）が２つの方法で定義される。
【０１３１】
＞参照ポイント表現（図８（ａ）参照）：これは２つのネットワーク機能（例えば、ＡＭＦ及びＳＭＦ）の間のポイントツーポイント参照ポイント（例えば、Ｎ１１）により説明されるネットワーク機能内のＮＦサービスの間に存在する相互作用を示す。
【０１３２】
＞サービスベースの表現（ｒｅｐｒｅｓｅｎｔａｔｉｏｎ）（図８（ｂ））：ここで、制御プレーン内のネットワーク機能（例えば、ＡＭＦ）は、他の公認された（ａｕｔｈｏｒｉｚｅｄ）ネットワーク機能が自分のサービスに接続することを可能にする（ｅｎａｂｌｅ）。この表現は、必要な場合、ポイントツーポイント参照ポイントも含む。
【０１３３】
図８（ａ）を参照すると、５Ｇシステムアーキテクチャーは様々なネットワーク機能（ｎｅｔｗｏｒｋ  ｆｕｎｃｔｉｏｎ、ＮＦ）で構成される。５Ｇシステムアーキテクチャーを形成するＮＦには、例えば、認証サーバ機能（Ａｕｔｈｅｎｔｉｃａｔｉｏｎ  Ｓｅｒｖｅｒ  Ｆｕｎｃｔｉｏｎ、ＡＵＳＦ）、アクセス及び移動性管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）、データネットワーク（Ｄａｔａ  Ｎｅｔｗｏｒｋ、ＤＮ）、ポリシー制御機能（Ｐｏｌｉｃｙ  Ｃｏｎｔｒｏｌ  Ｆｕｎｃｔｉｏｎ、ＰＣＦ）、セッション管理機能（Ｓｅｓｓｉｏｎ  Ｍａｎａｇｅｍｅｎｔ  Ｆｕｎｃｔｉｏｎ、ＳＭＦ）、統合されたデータ管理（Ｕｎｉｆｉｅｄ  Ｄａｔａ  Ｍａｎａｇｅｍｅｎｔ、ＵＤＭ）、ユーザプレーン機能（Ｕｓｅｒ  Ｐｌａｎｅ  Ｆｕｎｃｔｉｏｎ、ＵＰＦ）、ユーザ機器（Ｕｓｅｒ  Ｅｑｕｉｐｍｅｎｔ、ＵＥ）、（無線）アクセスネットワーク（（Ｒａｄｉｏ）Ａｃｃｅｓｓ  Ｎｅｔｗｏｒｋ、（Ｒ）ＡＮ）などがある。
【０１３４】
５ＧシステムのＮＦのうちのＡＭＦは、例えば、以下の機能性を含む。：ＲＡＮ  ＣＰインターフェース（即ち、Ｎ２インターフェース）の終結（ｔｅｒｍｉｎａｔｉｏｎ）、ＮＡＳの終結（Ｎ１）、ＮＡＳ暗号化及び完全性保護（ｃｉｐｈｅｒｉｎｇ  ａｎｄ  ｉｎｔｅｇｒｉｔｙ  ｐｒｏｔｅｃｔｉｏｎ）、ＡＳセキュリティ制御、登録管理（例えば、登録領域管理）、接続管理、ＩＤＬＥモードＵＥ到達可能性（ｒｅａｃｈａｂｉｌｉｔｙ）管理、移動性（ｍｏｂｉｌｉｔｙ）管理（例えば、ページング再送信及び制御を含む）、移動性管理制御（例えば、加入及びポリシー）、イントラシステム移動性及びインターシステム移動性支援、ネットワークスライス（ｎｅｔｗｏｒｋ  ｓｌｉｃｉｎｇ）の支援、ＳＭＦ選択、（ＡＭＦイベント及び合法的傍受（ｌａｗｆｕｌ  ｉｎｔｅｒｃｅｐｔ、ＬＩ）システムへのインターフェースに対する）合法的傍受（ｌａｗｆｕｌ  ｉｎｔｅｒｃｅｐｔ）、ＵＥとＳＭＦの間のセッション管理（ｓｅｓｓｉｏｎ  ｍａｎａｇｅｍｅｎｔ、ＳＭ）メッセージのためのトランスポート（ｔｒａｎｓｐｏｒｔ）を提供、接続認証（ａｃｃｅｓｓ  ａｕｔｈｅｎｔｉｃａｔｉｏｎ）、ローミング権限チェックを含む接続許可（ａｕｔｈｏｒｉｚａｔｉｏｎ）、ＵＥとＳＭＳＦの間のＳＭＳメッセージのトランスポート提供、セキュリティアンカー機能（ｓｅｃｕｒｉｔｙ  ａｎｃｈｏｒ  ｆｕｎｃｔｉｏｎ、ＳＥＡＦ）、セキュリティコンテキスト管理（ｓｅｃｕｒｉｔｙ  ｃｏｎｔｅｘｔ  ｍａｎａｇｅｍｅｎｔ、ＳＣＭ）など。ＥＰＳとの相互作用のためのＥＰＳベアラＩＤ割り当てなど。ＡＭＦの一部又は全体の機能は１つのＡＭＦの単一インスタンス内で支援される。
【０１３５】
５ＧシステムのＮＦのうちのＤＮは、例えば、運営者サービス、インターネット接続又は第３者（３ｒｄ  ｐａｒｔｙ）サービスなどを意味する。ＤＮはＵＰＦへ下りリンクプロトコルデータユニット（ｐｒｏｔｏｃｏｌ  ｄａｔａ  ｕｎｉｔ、ＰＤＵ）を送信するか、ＵＥから送信されたＰＤＵをＵＰＦから受信する。
【０１３６】
ＰＣＦは、アプリケーションサーバからパケットの流れに関する情報を受信して、移動性管理、セッション管理などのポリシーを決定する機能を提供する。具体的には、ＰＣＦはネットワーク動作を統制するための単一化したポリシーフレームワークの支援、制御プレーン（ｃｏｎｔｒｏｌ  ｐｌａｎｅ、ＣＰ）機能（例えば、ＡＭＦ、ＳＭＦなど）がポリシー規則を施行するようにポリシー規則提供、ユーザデータ貯蔵所（ｕｓｅｒ  ｄａｔａ  ｒｅｐｏｓｉｔｏｒｙ、ＵＤＲ）内のポリシー決定のために関連する加入接続のためのフロントエンド（ｆｒｏｎｔ  ｅｎｄ）の具現化などの機能を支援する。
【０１３７】
ＳＭＦは、セッション管理機能を提供し、ＵＥが多数のセッションを有する場合、各セッションごとに互いに異なるＳＭＦにより管理される。具体的には、ＳＭＦは、セッション管理（例えば、ＵＰＦとアクセスネットワーク（ａｃｃｅｓｓ  ｎｅｔｗｏｒｋ、ＡＮ）ノード間のトンネル維持を含むセッションの確立（ｅｓｔａｂｌｉｓｈｍｅｎｔ）、修正（ｍｏｄｉｆｉｃａｔｉｏｎ）及び解除（ｒｅｌｅａｓｅ））、ＵＥ  ＩＰアドレスの割り当て及び管理（選択的な認証を含む）、ユーザプレーン（ｕｓｅｒ  ｐｌａｎｅ、ＵＰ）機能の選択及び制御、ＵＰＦにおいてトラフィックを適切な目的地にルーティングするためのトラフィックステアリング（ｔｒａｆｆｉｃ  ｓｔｅｅｒｉｎｇ）の設定、ポリシー制御機能（ｐｏｌｉｃｙ  ｃｏｎｔｒｏｌ  ｆｕｎｃｔｉｏｎ）のためのインターフェースの終結（ｔｅｒｍｉｎａｔｉｏｎ）、ポリシー及びＱｏＳの制御部分施行、（ＳＭイベント及びＬＩシステムへのインターフェースに対する）合法的傍受（ｌａｗｆｕｌ  ｉｎｔｅｒｃｅｐｔ）、ＮＡＳメッセージのＳＭ部分の終端、下りリンクデータ通知（ｄｏｗｎｌｉｎｋ  ｄａｔａ  ｎｏｔｉｆｉｃａｔｉｏｎ、ＤＤＮ）、ＡＮ特有のＳＭ情報の開示者（ＡＭＦを経てＮ２を介してＡＮにトランスポート）、セッションのＳＳＣモード決定、ローミング機能などの機能を支援する。ＳＭＦの一部又は全体機能は１つのＳＭＦの単一インスタンス（ｉｎｓｔａｎｃｅ）内で支援される。
【０１３８】
ＵＤＭは、ユーザの加入データ、ポリシーデータなどを貯蔵する。ＵＤＭは２つの部分、即ちアプリケーションのフロントエンド（ｆｒｏｎｔ  ｅｎｄ、ＦＥ）及びユーザデータ貯蔵所（ｕｓｅｒ  ｄａｔａ  ｒｅｐｏｓｉｔｏｒｙ、ＵＤＲ）を含む。ＦＥは、位置管理、加入管理、資格証明（ｃｒｅｄｅｎｔｉａｌ）の処理などを担当するＵＤＭ  ＦＥと、ポリシー制御を担当するＰＣＦを含む。ＵＤＲは、ＵＤＭ−ＦＥにより提供される機能のために求められるデータと、ＰＣＦにより求められるポリシープロファイルを貯蔵する。ＵＤＲ内に貯蔵されるデータは、加入識別子、セキュリティ資格証明（ｓｅｃｕｒｉｔｙ  ｃｒｅｄｅｎｔｉａｌ）、接続及び移動性関連の加入データ及びセッション関連の加入データを含むユーザ加入データとポリシーデータを含む。ＵＤＭ−ＦＥは、ＵＤＲに貯蔵された加入情報に接続し、認証資格証明処理（ａｕｔｈｅｎｔｉｃａｔｉｏｎ  ｃｒｅｄｅｎｔｉａｌ  ｐｒｏｃｅｓｓｉｎｇ）、ユーザ識別子ハンドリング（ｕｓｅｒＩＤｅｎｔｉｆｉｃａｔｉｏｎ  ｈａｎｄｌｉｎｇ）、接続認証、登録／移動性管理、加入管理、ＳＭＳ管理などの機能を支援する。
【０１３９】
ＵＰＦは、ＤＮから受信した下りリンクＰＤＵを（Ｒ）ＡＮを経てＵＥに伝達し、（Ｒ）ＡＮを経てＵＥから受信した上りリンクＰＤＵをＤＮに伝達する。具体的には、ＵＰＦは、イントラ（ｉｎｔｒａ）ＲＡＴ／インター（ｉｎｔｅｒ）ＲＡＴ移動性のためのアンカーポイント、データネットワークへの相互接続の外部ＰＤＵセッションポイント、パケットルーティング及び転送、パケット検査（ｉｎｓｐｅｃｔｉｏｎ）及びポリシー規則施行のユーザプレーン部分、合法的傍受（ｌａｗｆｕｌ  ｉｎｔｅｒｃｅｐｔ）、トラフィック使用量の報告、データネットワークへのトラフィックフローのルーティングを支援するための上りリンク分類子（ｃｌａｓｓｉｆｉｅｒ）、マルチホーム（ｍｕｌｔｉ−ｈｏｍｅｄ）ＰＤＵセッションを支援するためのブランチポイント（ｂｒａｎｃｈｉｎｇ  ｐｏｉｎｔ）、ユーザプレーンのためのＱｏＳハンドリング（ｈａｎｄｌｉｎｇ）（例えば、パケットフィールたリング、ゲーティング（ｇａｔｉｎｇ）、上りリンク／下りリンクのレート施行）、上りリンクトラフィック検証（サービスデータフロー（ｓｅｒｖｉｃｅ  ｄａｔａ  ｆｌｏｗ、ＳＤＦ）とＱｏＳフローの間のＳＤＦマッピング）、上りリンク及び下りリンク内のトランスポートレベル（ｔｒａｎｓｐｏｒｔ  ｌｅｖｅｌ）パケットマーキング、下りリンクパケットバッファリング及び下りリンクデータ通知トリガー機能などの機能を支援する。ＵＰＦの一部又は全体の機能は１つのＵＰＦの単一インスタンス（ｉｎｓｔａｎｃｅ）内で支援される。
【０１４０】
ｇＮＢは、無線リソース管理のための機能（即ち、無線ベアラ制御（ｒａｄｉｏ  ｂｅａｒｅｒ  ｃｏｎｔｒｏｌ）、無線承認制御（ｒａｄｉｏ  ａｄｍｉｓｓｉｏｎ  ｃｏｎｔｒｏｌ）、接続移動性制御（ｃｏｎｎｅｃｔｉｏｎ  ｍｏｂｉｌｉｔｙ  ｃｏｎｔｒｏｌ）、上りリンク／下りリンクにおけるＵＥへのリソースの動的割り当て（ｄｙｎａｍｉｃ  ａｌｌｏｃａｔｉｏｎ  ｏｆ  ｒｅｓｏｕｒｃｅｓ）（即ち、スケジューリング））、ＩＰ（Ｉｎｔｅｒｎｅｔ  Ｐｒｏｔｏｃｏｌ）ヘッダー圧縮、ユーザデータストリームの暗号化（ｅｎｃｒｙｐｔｉｏｎ）及び完全性保護（ｉｎｔｅｇｒｉｔｙ  ｐｒｏｔｅｃｔｉｏｎ）、ＵＥに提供された情報からＡＭＦへのルーティングが決定されていない場合、ＵＥの接続（ａｔｔａｃｈｍｅｎｔ）時のＡＭＦの選択、ＵＰＦへのユーザプレーンデータルーティング、ＡＭＦへの制御プレーン情報ルーティング、接続セットアップ及び解除、ページングメッセージのスケジューリング及び送信（ＡＭＦから発生した）、（ＡＭＦ又は運営及び維持（ｏｐｅｒａｔｉｎｇ  ａｎｄ  ｍａｉｎｔｅｎａｎｃｅ、Ｏ＆Ｍ）から発生した）システムブロードキャスト情報のスケジューリング及び送信、移動性及びスケジューリングのための測定及び測定報告設定、上りリンクにおけるトランスポートレベルパケットマーキング（ｔｒａｎｓｐｏｒｔ  ｌｅｖｅｌ  ｐａｃｋｅｔ  ｍａｒｋｉｎｇ）、セッション管理、ネットワークスライス（ｎｅｔｗｏｒｋ  ｓｌｉｃｉｎｇ）の支援、ＱｏＳ流れ管理及びデータ無線ベアラへのマッピング、非活性モード（ｉｎａｃｔｉｖｅ  ｍｏｄｅ）であるＵＥの支援、ＮＡＳメッセージの分配機能、ＮＡＳノード選択機能、無線アクセスネットワークの共有、二重接続性（ｄｕａｌ  ｃｏｎｎｅｃｔｉｖｉｔｙ）、ＮＲとＥ−ＵＴＲＡの間の密接な相互動作（ｔｉｇｈｔ  ｉｎｔｅｒｗｏｒｋｉｎｇ）などの機能を支援する。
【０１４１】
図８（ａ）では説明の便宜上、ＵＥが１つのＰＤＵセッションを用いて１つのＤＮに接続する場合に関する参照モデルを例示しているが、これに限られない。ＵＥは多数のＰＤＵセッションを用いて２つのデータネットワーク（例えば、地域（ｌｏｃａｌ）ＤＮ及び中心（ｃｅｎｔｒａｌ）ＤＮ）に同時に接続することができる。この時、互いに異なるＰＤＵセッションのために２つのＳＭＦが選択される。但し、各ＳＭＦはＰＤＵセッション内の地域ＵＰＦ及び中心ＵＰＦを全て制御できる能力を有する。また、ＵＥは単一のＰＤＵセッション内で提供される２つのデータネットワーク（例えば、地域（ｌｏｃａｌ）ＤＮ及び中心（ｃｅｎｔｒａｌ）ＤＮ）に同時に接続することもできる。
【０１４２】
３ＧＰＰシステムでは、５Ｇシステム内のＮＦの間を接続する概念的なリンクを参照ポイント（ｒｅｆｅｒｅｎｃｅ  ｐｏｉｎｔ）と定義する。以下、図８（ａ）のように表現された５Ｇシステムのアーキテクチャーに含まれる参照ポイントを例示する。
【０１４３】
−Ｎ１：ＵＥとＡＭＦの間の参照ポイント。
【０１４４】
−Ｎ２：（Ｒ）ＡＮとＡＭＦの間の参照ポイント。
【０１４５】
−Ｎ３：（Ｒ）ＡＮとＵＰＦの間の参照ポイント。
【０１４６】
−Ｎ４：ＳＭＦとＵＰＦの間の参照ポイント。
【０１４７】
−Ｎ５：ＰＣＦとＡＦの間の参照ポイント。
【０１４８】
−Ｎ６：ＵＰＦとデータネットワークの間の参照ポイント。
【０１４９】
−Ｎ７：ＳＭＦとＰＣＦの間の参照ポイント。
【０１５０】
−Ｎ７ｒ：訪問ネットワーク（ｖｉｓｉｔｅｄ  ｎｅｔｗｏｒｋ）内のＰＣＦとホームネットワーク（ｈｏｍｅ  ｎｅｔｗｏｒｋ）内のＰＣＦの間の参照ポイント。
【０１５１】
−Ｎ８：ＵＤＭとＡＭＦの間の参照ポイント。
【０１５２】
−Ｎ９：２つのコアＵＰＦの間の参照ポイント。
【０１５３】
−Ｎ１０：ＵＤＭとＳＭＦの間の参照ポイント。
【０１５４】
−Ｎ１１：ＡＭＦとＳＭＦの間の参照ポイント。
【０１５５】
−Ｎ１２：ＡＭＦとＡＵＳＦの間の参照ポイント。
【０１５６】
−Ｎ１３：ＵＤＭと認証サーバ機能（ＡＵＳＦ：Ａｕｔｈｅｎｔｉｃａｔｉｏｎ  Ｓｅｒｖｅｒ  ｆｕｎｃｔｉｏｎ）の間の参照ポイント。
【０１５７】
−Ｎ１４：２つのＡＭＦの間の参照ポイント。
【０１５８】
−Ｎ１５：非ローミングシナリオの場合、ＰＣＦとＡＭＦの間の参照ポイント、ローミングシナリオの場合、訪問ネットワーク（ｖｉｓｉｔｅｄ  ｎｅｔｗｏｒｋ）内のＰＣＦとＡＭＦの間の参照ポイント。
【０１５９】
−Ｎ１６：２つのＳＭＦの間の参照ポイント（ローミングシナリオの場合、訪問ネットワーク（ｖｉｓｉｔｅｄ  ｎｅｔｗｏｒｋ）内のＳＭＦとホームネットワーク（ｈｏｍｅ  ｎｅｔｗｏｒｋ）内のＳＭＦの間の参照ポイント）。
【０１６０】
−Ｎ１７：ＡＭＦとＥＩＲの間の参照ポイント。
【０１６１】
−Ｎ１８：あるＮＦとＵＤＳＦの間の参照ポイント。
【０１６２】
−Ｎ１９：ＮＥＦとＳＤＳＦの間の参照ポイント。
【０１６３】
図８（ｂ）に例示するサービスベースのインターフェースは、所定のＮＦにより提供／露出されるサービスのセットを示す。以下、図８（ａ）のように表現された５Ｇシステムのアーキテクチャーに含まれるサービスベースのインターフェースを例示する。
【０１６４】
−Ｎａｍｆ：ＡＭＦにより公開されたサービスベースのインターフェース。
【０１６５】
−Ｎｓｍｆ：ＳＭＦにより公開されたサービスベースのインターフェース。
【０１６６】
−Ｎｎｅｆ：ＮＥＦにより公開されたサービスベースのインターフェース。
【０１６７】
−Ｎｐｃｆ：ＰＣＦにより公開されたサービスベースのインターフェース。
【０１６８】
−Ｎｕｄｍ：ＵＤＭにより公開されたサービスベースのインターフェース。
【０１６９】
−Ｎａｆ：ＡＦにより公開されたサービスベースのインターフェース。
【０１７０】
−Ｎｎｒｆ：ＮＲＦにより公開されたサービスベースのインターフェース。
【０１７１】
−Ｎａｕｓｆ：ＡＵＳＦにより公開されたサービスベースのインターフェース。
【０１７２】
ＮＦサービスは、ＮＦ（即ち、ＮＦサービス供給者）により他のＮＦ（即ち、ＮＦサービス消費者）にサービスベースのインターフェースにより露出される能力の一種である。ＮＦは、１つ以上のＮＦサービスを露出することができる。ＮＦサービスを定義するために、以下のような基準が適用される：
【０１７３】
−ＮＦサービスはエンドツーエンド（ｅｎｄ−ｔｏ−ｅｎｄ）機能を説明するための情報流れから導き出される。
【０１７４】
−完全なエンドツーエンド（ｅｎｄ−ｔｏ−ｅｎｄ）メッセージの流れはＮＦサービス呼出し（ｉｎｖｏｃａｔｉｏｎ）のシーケンスにより説明される。
【０１７５】
−ＮＦが自分のサービスをサービスベースのインターフェースを介して提供する２つの動作は以下の通りである：
【０１７６】
i）"要求−応答（Ｒｅｑｕｅｓｔ−ｒｅｓｐｏｎｓｅ）"：制御プレーンＮＦ＿Ｂ（即ち、ＮＦサービス供給者）には、他の制御プレーンＮＦ＿Ａ（即ち、ＮＦサービス消費者）から特定のＮＦサービス（動作の実行及び／又は情報提供を含む）の提供が要求される。ＮＦ＿Ｂは、要求内でＮＦ＿Ａにより提供された情報に基づくＮＦサービス結果を応答する。
【０１７７】
要求を満たすために、ＮＦ＿Ｂは交互に他のＮＦからのＮＦサービスを消費することができる。要求−応答メカニズムにおいて、通信は２つのＮＦ（即ち、消費者及び供給者）の間で１対１に行われる。
【０１７８】
ii）"加入−通知（Ｓｕｂｓｃｒｉｂｅ−Ｎｏｔｉｆｙ）"
【０１７９】
制御プレーンＮＦ＿Ａ（即ち、ＮＦサービス消費者）は、他の制御プレーンＮＦ＿Ｂ（即ち、ＮＦサービス供給者）により提供されるＮＦサービスに加入する。多数の制御プレーンＮＦは、同一の制御プレーンＮＦサービスに加入することができる。ＮＦ＿Ｂは、このＮＦサービスの結果をＮＦサービスに加入された関心のあるＮＦに通知する。消費者からの加入要求は、周期的な更新又は特定のイベント（例えば、要求された情報の変更、特定の閾値到達など）を介してトリガーされる通知のための通知要求を含むことができる。このメカニズムはＮＦ（例えば、ＮＦ＿Ｂ）が明示的な加入要求無しに（例えば、正常な登録手順によって）暗黙的に特定の通知に加入した場合も含む。
【０１８０】
図８に示されたＮＦ及び参照ポイントに関するより詳しい事項は３ＧＰＰ  ＴＳ  ２３．５０１を参照する。
【０１８１】
図９は次世代アクセスネットワーク（ｎｅｗ  ｇｅｎｅｒａｔｉｏｎ  ａｃｃｅｓｓ  ｎｅｔｗｏｒｋ、ＮＧ−ＲＡＮ）のアーキテクチャーを例示する図である。
【０１８２】
図９を参照すると、ＮＧ−ＲＡＮ（或いは５Ｇ−ＲＡＮともいう）は、ＵＥに向かうユーザプレーン及び制御プレーンプロトコルの終結を提供するｇＮＢ及び／又はｅＮＢで構成される。
【０１８３】
ｇＮＢの間、又はｇＮＢと５ＧＣに接続されるｅＮＢの間は、Ｘｎインターフェースを用いて互いに接続される。またｇＮＢ及びｅＮＢは、５ＧＣにＮＧインターフェースを用いて接続され、具体的には、ＮＧ−ＲＡＮと５ＧＣの間の制御プレーンインターフェースであるＮＧ−Ｃインターフェース（即ち、Ｎ２参照ポイント）を用いてＡＭＦに接続され、ＮＧ−ＲＡＮと５ＧＣの間のユーザプレーンインターフェースであるＮＧ−Ｕインターフェース（即ち、Ｎ３参照ポイント）を用いてＵＰＦに接続される。
【０１８４】
図１０は次世代無線通信システムのプロトコルスタックを例示する図である。特に、図１０（ａ）はＵＥとｇＮＢの間の無線インターフェースユーザプレーンプロトコルスタックを例示し、図１０（ｂ）はＵＥとｇＮＢの間の無線インターフェース制御プレーンプロトコルスタックを例示している。
【０１８５】
制御プレーンはＵＥとネットワークが呼出し（ｃａｌｌ）を管理するために用いる制御メッセージが送信される通路を意味する。ユーザプレーンはアプリケーション層で生成されたデータ、例えば、音声データ又はインターネットパケットデータなどが送信される通路を意味する。
【０１８６】
図１０（ａ）を参照すると、ユーザプレーンプロトコルスタックは、第１層（Ｌａｙｅｒ  １）（即ち、物理層（ｐｈｙｓｉｃａｌ  ｌａｙｅｒ、ＰＨＹ））、第２層（Ｌａｙｅｒ  ２）に分かれる。
【０１８７】
図１０（ｂ）を参照すると、制御プレーンプロトコルスタックは、第１層（即ち、ＰＨＹ層）、第２層、第３層（例えば、無線リソース制御、無線リソース制御（ｒａｄｉｏ  ｒｅｓｏｕｒｃｅ  ｃｏｎｔｒｏｌ、ＲＲＣ）層）、非アクセス層（Ｎｏｎ−ａｃｃｅｓｓ  ｓｔｒａｔｕｍ、ＮＡＳ）層に分かれる。
【０１８８】
第２層は媒体アクセス制御（ｍｅｄｉｕｍ  ａｃｃｅｓｓ  ｃｏｎｔｒｏｌ、ＭＡＣ）副層、無線リンク制御（ｒａｄｉｏ  ｌｉｎｋ  ｃｏｎｔｒｏｌ、ＲＬＣ）副層、パケットデータコンバージェンスプロトコル（ｐａｃｋｅｔ  ｄａｔａ  ｃｏｎｖｅｒｇｅｎｃｅ  ｐｒｏｔｏｃｏｌ、ＰＤＣＰ）副層を含み、ユーザプレーンの場合には、さらにサービスデータ適応プロトコル（ｓｅｒｖｉｃｅ  ｄａｔａ  ａｄａｐｔａｔｉｏｎ  ｐｒｏｔｏｃｏｌ、ＳＤＡＰ）副層を含む。
【０１８９】
無線ベアラは以下の２つに分類される：ユーザプレーンデータのためのデータ無線ベアラ（ｄａｔａ  ｒａｄｉｏ  ｂｅａｒｅｒ、ＤＲＢ）と制御プレーンデータのためのシグナリング無線ベアラ（ｓｉｇｎａｌｌｉｎｇ  ｒａｄｉｏ  ｂｅａｒｅｒ、ＳＲＢ）。
【０１９０】
以下、無線プロトコルの制御プレーンとユーザプレーンの各層を説明する。
【０１９１】
第１層であるＰＨＹ層は物理チャネル（ｐｈｙｓｉｃａｌ  ｃｈａｎｎｅｌ）を使用することにより上位層への情報送信サービス（ｉｎｆｏｒｍａｔｉｏｎ  ｔｒａｎｓｆｅｒ  ｓｅｒｖｉｃｅ）を提供する。物理層は上位レベルに位置するＭＡＣ副層にトランスポートチャネル（ｔｒａｎｓｐｏｒｔ  ｃｈａｎｎｅｌ）を介して接続され、トランスポートチャネルを介してＭＡＣ副層とＰＨＹ層の間でデータが送信される。トランスポートチャネルはデータが無線インターフェースを介してどのように、どのような特徴を有して送信されるかによって分類される。また互いに異なる物理層の間、送信端のＰＨＹ層と受信端のＰＨＹ層の間には、物理チャネル（ｐｈｙｓｉｃａｌ  ｃｈａｎｎｅｌ）を介してデータが送信される。
【０１９２】
ＭＡＣ副層は論理チャネル（ｌｏｇｉｃａｌ  ｃｈａｎｎｅｌ）とトランスポートチャネル（ｔｒａｎｓｐｏｒｔ  ｃｈａｎｎｅｌ）の間のマッピング；トランスポートチャネルを介してＰＨＹ層へ／から伝達されるトランスポートブロック（ｔｒａｎｓｐｏｒｔ  ｂｌｏｃｋ、ＴＢ）へ／から１つ又は異なる論理チャネルに属するＭＡＣサービスデータユニット（ｓｅｒｖｉｃｅ  ｄａｔａ  ｕｎｉｔ、ＳＤＵ）の多重化（ｍｕｌｔｉｐｌｅｘｉｎｇ）／逆多重化（ｄｅｍｕｌｔｉｐｌｅｘｉｎｇ）；スケジューリング情報の報告；ＨＡＲＱ（ｈｙｂｒｉｄ  ａｕｔｏｍａｔｉｃ  ｒｅｐｅａｔ  ｒｅｑｕｅｓｔ）によるエラー訂正；動的（ｄｙｎａｍｉｃ）スケジューリングを用いたＵＥの間の優先順位ハンドリング；論理チャネル優先順位を用いた１つのＵＥの論理チャネルの間の優先順位ハンドリング；パディング（ｐａｄｄｉｎｇ）を行う。互いに異なる種類のデータは、ＭＡＣ副層により提供されるサービスを伝達する。各論理チャネルタイプは、どのタイプの情報が伝達されるかを定義する。論理チャネルは２つのグループに分類される：制御チャネル（ｃｏｎｔｒｏｌ  ｃｈａｎｎｅｌ）及びトラフィックチャネル（ｔｒａｆｆｉｃ  ｃｈａｎｎｅｌ）。
【０１９３】
制御チャネルは制御プレーン情報のみを伝達するために使用され、以下の通りである。
【０１９４】
−ブロードキャスト制御チャネル（ｂｒｏａｄｃａｓｔ  ｃｏｎｔｒｏｌ  ｃｈａｎｎｅｌ、ＢＣＣＨ）：システム制御情報をブロードキャスティングするための下りリンクチャネル。
【０１９５】
−ページング制御チャネル（ｐａｇｉｎｇ  ｃｏｎｔｒｏｌ  ｃｈａｎｎｅｌ、ＰＣＣＨ）：ページング情報及びシステム情報の変更通知を伝達する下りリンクチャネル。
【０１９６】
−共通制御チャネル（ｃｏｍｍｏｎ  ｃｏｎｔｒｏｌ  ｃｈａｎｎｅｌ、ＣＣＣＨ）：ＵＥとネットワークの間の制御情報を送信するためのチャネル。このチャネルはネットワークとＲＲＣ接続を有しないＵＥのために使用される。
【０１９７】
−専用制御チャネル（ｄｅｄｉｃａｔｅｄ  ｃｏｎｔｒｏｌ  ｃｈａｎｎｅｌ、ＤＣＣＨ）：ＵＥとネットワークの間に専用制御情報を送信するためのポイントツーポイント（ｐｏｉｎｔ−ｔｏ−ｐｏｉｎｔ）双方向チャネル。ＲＲＣ接続を有するＵＥにより使用される。
【０１９８】
トラフィックチャネルはユーザプレーン情報のみを使用するために使用される：
【０１９９】
−専用トラフィックチャネル（ｄｅｄｉｃａｔｅｄ  ｔｒａｆｆｉｃ  ｃｈａｎｎｅｌ、ＤＴＣＨ）：ユーザ情報を伝達するための、単一のＵＥに専用される、ポイントツーポイントチャネル。ＤＴＣＨは上りリンク及び下りリンクの全てに存在することができる。
【０２００】
下りリンクにおいて、論理チャネルとトランスポートチャネルの間の接続は以下の通りである。ＢＣＣＨはＢＣＨにマッピングされることができる。ＢＣＣＨはＤＬ−ＳＣＨにマッピングされることができる。ＰＣＣＨはＰＣＨにマッピングされることができる。ＣＣＣＨはＤＬ−ＳＣＨにマッピングされることができる。ＤＣＣＨはＤＬ−ＳＣＨにマッピングされることができる。ＤＴＣＨはＤＬ−ＳＣＨにマッピングされることができる。
【０２０１】
上りリンクにおいて、論理チャネルとトランスポートチャネルの間の接続は以下の通りである。ＣＣＣＨはＵＬ−ＳＣＨにマッピングされることができる。ＤＣＣＨはＵＬ−ＳＣＨにマッピングされることができる。ＤＴＣＨはＵＬ−ＳＣＨにマッピングされることができる。
【０２０２】
ＲＬＣ副層は３つの送信モードを支援する：透明モード（ＴＭ：Ｔｒａｎｓｐａｒｅｎｔ  Ｍｏｄｅ）、非確認モード（ＵＭ：Ｕｎａｃｋｎｏｗｌｅｄｇｅｄ  Ｍｏｄｅ）、確認モード（ＡＭ：Ａｃｋｎｏｗｌｅｄｇｅｄ  Ｍｏｄｅ）。ＲＬＣ設定は、論理チャネルごとに適用される。ＳＲＢの場合、ＴＭ又はＡＭモードが用いられ、反面、ＤＲＢの場合は、ＵＭ又はＡＭモードが用いられる。ＲＬＣ副層は上位層ＰＤＵの伝達；ＰＤＣＰと独立的なシーケンスナンバリング；ＡＲＱ（ａｕｔｏｍａｔｉｃ  ｒｅｐｅａｔ  ｒｅｑｕｅｓｔ）によるエラー訂正；分割（ｓｅｇｍｅｎｔａｔｉｏｎ）及び再分割（ｒｅ−ｓｅｇｍｅｎｔａｔｉｏｎ）；ＳＤＵの再結合（ｒｅａｓｓｅｍｂｌｙ）；ＲＬＣ  ＳＤＵ廃棄（ｄｉｓｃａｒｄ）；ＲＬＣ再確立（ｒｅ−ｅｓｔａｂｌｉｓｈｍｅｎｔ）を行う。
【０２０３】
ユーザプレーンのためのＰＤＣＰ副層は、シーケンスナンバリング（ｓｅｑｕｅｎｃｅ  ｎｕｍｂｅｒｉｎｇ）；ヘッダー圧縮及び圧縮解除（ｄｅｃｏｍｐｒｅｓｓｉｏｎ）（強いヘッダー圧縮（ｒｏｂｕｓｔ  ｈｅａｄｅｒ  ｃｏｍｐｒｅｓｓｉｏｎ、ＲｏＨＣ）の場合のみ）；ユーザデータ伝達；（ＰＤＣＰより上位層への伝達が要求される場合）再配列（ｒｅｏｒｄｅｒｉｎｇ）及び複製検出（ｄｕｐｌｉｃａｔｅ  ｄｅｔｅｃｔｉｏｎ）；（スプリットベアラ（ｓｐｌｉｔ  ｂｅａｒｅｒ）の場合）ＰＤＣＰ  ＰＤＵルーティング；ＰＤＣＰ  ＳＤＵの再送信；暗号化（ｃｉｐｈｅｒｉｎｇ）及び解読（ｄｅｃｉｐｈｅｒｉｎｇ）；ＰＤＣＰ  ＳＤＵ廃棄；ＲＬＣ  ＡＭのためのＰＤＣＰ再確立及びデータ復旧（ｒｅｃｏｖｅｒｙ）；ＰＤＣＰ  ＰＤＵの複製を行う。制御プレーンのためのＰＤＣＰ副層は、さらにシーケンスナンバリング；暗号化（ｃｉｐｈｅｒｉｎｇ）、解読（ｄｅｃｉｐｈｅｒｉｎｇ）及び完全性保護（ｉｎｔｅｇｒｉｔｙ  ｐｒｏｔｅｃｔｉｏｎ）；制御プレーンデータ伝達；複製検出；ＰＤＣＰ  ＰＤＵの複製を行う。ＲＲＣにより無線ベアラのための複製（ｄｕｐｌｉｃａｔｉｏｎ）が設定される時、複製されたＰＤＣＰ  ＰＤＵを制御するためにさらなるＲＬＣエンティティ及びさらなる論理チャネルが無線ベアラに追加される。ＰＤＣＰにおいて、複製は同一のＰＤＣＰ  ＰＤＵを２回送信することを含む。１回目には元のＲＬＣ  エンティティに伝達され、２回目には追加ＲＬＣエンティティに伝達される。この時、元のＰＤＣＰ  ＰＤＵ及び該当複製本は、同一のトランスポートブロック（ｔｒａｎｓｐｏｒｔ  ｂｌｏｃｋ）に送信されない。互いに異なる２つの論理チャネルが同一のＭＡＣエンティティに属することができ（ＣＡの場合）、又は互いに異なるＭＡＣエンティティに属することもできる（ＤＣの場合）。前者の場合、元のＰＤＣＰ  ＰＤＵと該当複製本が同一のトランスポートブロック（ｔｒａｎｓｐｏｒｔ  ｂｌｏｃｋ）に送信されないように保証するために、論理チャネルマッピング制限が使用される。
【０２０４】
ＳＤＡＰ副層は、ｉ）ＱｏＳ流れとデータ無線ベアラの間のマッピング、ii）下りリンク及び上りリンクパケット内のＱｏＳ流れ識別子（ＩＤ）マーキングを行う。ＳＤＡＰの単一のプロトコルエンティティが各々個別にＰＤＵセッションごとに設定されるが、例外的に二重接続性（ｄｕａｌ  ｃｏｎｎｅｃｔｉｖｉｔｙ、ＤＣ）の場合は、２つのＳＤＡＰエンティティが設定されることができる。
【０２０５】
ＲＲＣ副層は、アクセス層（ａｃｃｅｓｓ  ｓｔｒａｔｕｍ、ＡＳ）及び非アクセス層（Ｎｏｎ−ａｃｃｅｓｓ  ｓｔｒａｔｕｍ、ＮＡＳ）に関連するシステム情報のブロードキャスト；５ＧＣ又はＮＧ−ＲＡＮにより開始されたページング（ｐａｇｉｎｇ）；ＵＥとＮＧ−ＲＡＮの間のＲＲＣ接続の確立、維持及び解除（さらに、キャリアアグリゲーション（ｃａｒｒｉｅｒ  ａｇｇｒｅｇａｔｉｏｎ）の修正及び解除を含み、さらにＥ−ＵＴＲＡＮとＮＲの間、又はＮＲ内におけるＤＣの修正及び解除を含む）；キー管理を含むセキュリティ機能；ＳＲＢ及びＤＲＢの確立、設定、維持及び解除；ハンドオーバー及びコンテキスト伝達；ＵＥセル選択及び再解除及びセル選択／再選択の制御；ＲＡＴの間の移動性を含む移動性機能；ＱｏＳ管理機能、ＵＥ測定報告及び報告制御；無線リンク失敗の検出及び無線リンク失敗からの回復；ＮＡＳからＵＥへのＮＡＳメッセージ伝達及びＵＥからＮＡＳへのＮＡＳメッセージ伝達を行う。
【０２０６】
従来のＬＴＥシステムにおいて、ＵＥがアクセスネットワーク上でＲＲＣ＿ＩＤＬＥ状態であると、コアネットワーク上ではＥＣＭ＿ＩＤＬＥ状態であり、アクセスネットワーク上でＲＲＣ＿ＣＯＮＮＥＣＴＥＤ状態であると、コアネットワーク上ではＥＣＭ＿ＣＯＮＮＥＣＴＥＤ状態である。言い換えれば、従来のＬＴＥシステムにおいて、ＲＲＣ＿ＩＤＬＥであるＵＥ（ＵＥ  ｉｎ  ＲＲＣ＿ＩＤＬＥ）は即ち、ＥＣＭ＿ＩＤＬＥであるＵＥであり、ＲＲＣ＿ＣＯＮＮＥＣＴＥＤであるＵＥは即ち、ＥＣＭ＿ＣＯＮＮＥＣＴＥＤであるＵＥ（ＵＥ  ｉｎ  ＥＣＭ＿ＣＯＮＮＥＣＴＥＤ）である。ＩＤＬＥであるＵＥの場合、（Ｓ１−ＭＭＥにわたる）論理（ｌｏｇｉｃａｌ）Ｓ１−ＡＰ（Ｓ１Ａｐｐｌｉｃａｔｉｏｎ  Ｐｒｏｔｏｃｏｌ）シグナリング接続及びＵＥのための（Ｓ１−Ｕ内の）全てのＳ１ベアラがない。ＩＤＬＥであるＵＥの場合、ネットワークの観点で、制御プレーンではＵＥとのＳ１シグナリング及びＲＲＣ接続が、またユーザプレーンではＵＥとの下りリンクＳ１ベアラ及びデータ無線ベアラ（ｄａｔａ  ｒａｄｉｏ  ｂｅａｒｅｒ、ＤＲＢ）が確立されていないか又は解除されている。ＩＤＬＥであるＵＥの観点で、ＩＤＬＥ状態は、制御プレーン及びユーザプレーンの各々において自分のＲＲＣ接続及びＤＲＢがないことを意味する。例えば、接続解除過程を通じて一応接続が解除されると、ＵＥとＭＭＥの間のＥＣＭ接続が解除され、ＵＥと関連する全てのコンテキストがｅＮＢから削除される。その後、ＵＥは、ＵＥ及びＭＭＥではＥＣＭ＿ＣＯＮＮＥＣＴＥＤ状態からＥＣＭ＿ＩＤＬＥ状態に遷移し、ＵＥ及びｅＮＢではＲＲＣ＿ＣＯＮＮＥＣＴＥＤ状態からＥＣＭ＿ＩＤＬＥ状態に遷移する。このため、ＵＥに対する接続制御はいつもコアネットワークにより行われ、ＵＥに対するページングもコアネットワークにより開始及び管理される必要がある。従って、ＵＥとネットワークの間のトラフィックトランスポートが遅延することができる。また、ＲＲＣ＿ＩＤＬＥのＵＥがトラフィックを送信しようとする場合、或いはネットワークがＲＲＣ＿ＩＤＬＥのＵＥにトラフィックを送信しようとする場合には、サービス要求過程を通じてＵＥがＲＲＣ＿ＣＯＮＮＥＣＴＥＤに遷移するが、このサービス要求過程は様々なメッセージ交換を伴う。このため、ＵＥとネットワークの間のトラフィックトランスポートが遅延することができる。
【０２０７】
ＲＲＣ＿ＩＤＬＥとＲＲＣ＿ＣＯＮＮＥＣＴＥＤの間の遷移過程で発生する遅延を減らすために、ＬＴＥ−ＡシステムにＲＲＣ＿ＩＮＡＣＴＩＶＥ状態を導入しようとする論議があり、５ＧシステムでもＲＲＣ＿ＩＮＡＣＴＩＶＥ状態を支援することが考慮されている。例えば、５ＧシステムのＲＲＣ層は、以下の特性を有する３つの状態を支援することができる（３ＧＰＰ  ＴＲ  ３８．８０４  Ｖ０．７．０参照）。
【０２０８】
＊ＲＲＣ＿ＩＤＬＥ
【０２０９】
−セル再選択移動性；
【０２１０】
−モバイル終結データ（ｍｏｂｉｌｅ  ｔｅｒｍｉｎａｔｅｄ  ｄａｔａ）のためのページングがコアネットワーク（例えば、５ＧＣ）により開始される；
【０２１１】
−ページング領域がコアネットワーク（ｃｏｒｅ  ｎｅｔｗｏｒｋ、ＣＮ）により管理される。
【０２１２】
＊ＲＲＣ＿ＩＮＡＣＴＩＶＥ：
【０２１３】
−セル再選択移動性；
【０２１４】
−ＣＮ−ＮＲ  ＲＡＮ接続（制御プレーン及びユーザプレーンの両方とも）がＵＥに対して確立される（ｅｓｔａｂｌｉｓｈ）；
【０２１５】
−ＵＥアクセス層（ａｃｃｅｓｓ  ｓｔｒａｔｕｍ、ＡＳ）コンテキストが少なくとも１つのｇＮＢ及びＵＥに貯蔵されている；
【０２１６】
−ページングがＮＲ  ＲＡＮにより開始される；
【０２１７】
−ＲＡＮベースの通知（ｎｏｔｉｆｉｃａｔｉｏｎ）領域がＮＲ  ＲＡＮにより管理される；
【０２１８】
−ＮＲ  ＲＡＮがＵＥが属するＲＡＮベースの通知領域を知る；
【０２１９】
＊ＲＲＣ＿ＣＯＮＮＥＣＴＥＤ：
【０２２０】
−ＵＥがＮＲ  ＲＲＣ接続を有する；
【０２２１】
−ＵＥがＮＲにＡＳコンテキストを有する；
【０２２２】
−ＮＲ  ＲＡＮがＵＥが属するセルを知る；
【０２２３】
−ＵＥへの／からのユニキャストデータの伝達（ｔｒａｎｓｆｅｒ）；
【０２２４】
−ＮＲ内の及びＥ-ＵＴＲＡＮへの／からのネットワーク制御移動性（ｎｅｔｗｏｒｋ  ｃｏｎｔｒｏｌｌｅｄ  ｍｏｂｉｌｉｔｙ）、即ち、ハンドオーバー。
【０２２５】
図１１は次世代無線通信システムのＵＥの状態遷移を例示する図である。ＵＥは１回に１つのＲＲＣ状態を有する。
【０２２６】
図１１を参照すると、以下の状態遷移がＲＲＣ状態の間に支援される："接続セットアップ"過程（例えば、要求、セットアップ、完了）に従って（ｆｏｌｌｏｗｉｎｇ）、ＲＲＣ＿ＩＤＬＥからＲＲＣ＿ＣＯＮＮＥＣＴＥＤに；（少なくとも）"接続解除"過程に従って、ＲＲＣ＿ＣＯＮＮＥＣＴＥＤからＲＲＣ＿ＩＤＬＥに；"接続非活性化（ｃｏｎｎｅｃｔｉｏｎ  ｉｎａｃｔｉｖａｔｉｏｎ）"過程に従って、ＲＲＣ＿ＣＯＮＮＥＣＴＥＤからＲＲＣ＿ＩＮＡＣＴＩＶＥに；"接続活性化"過程に従って、ＲＲＣ＿ＩＮＡＣＴＩＶＥからＲＲＣ＿ＣＯＮＮＥＣＴＥＤに。
【０２２７】
ＲＲＣ＿ＩＮＡＣＴＩＶＥ状態にあるＵＥはＲＡＮベースの通知領域に設定されることができ、その後：通知領域は単一或いは多数のセルをカバーでき、ＣＮ領域より小さく；ＵＥは通知領域の境界内に留まる時にはいかなる"位置更新（ｌｏｃａｔｉｏｎ  ｕｐｄａｔｅ）"指示も出せず；通知領域から離れると、ＵＥは自分の位置をネットワークに更新する。
【０２２８】
４Ｇ通信の場合、ＵＥがＥＰＳ／ＬＴＥシステムに登録するために、また登録状態を維持するために、アタッチ過程とトラッキング領域の更新（ｔｒａｃｋｉｎｇ  ａｒｅａ  ｕｐｄａｔｅ、ＴＡＵ）過程（３ＧＰＰ  ＴＳ  ２３．４０１を参照）を行う。５Ｇシステムでは、既存のアタッチ過程とＴＡＵ過程を統合した登録過程（３ＧＰＰ  ＴＳ  ２３．５０２を参照）を行う。５Ｇシステムにおいて、登録管理（ｒｅｇｉｓｔｒａｔｉｏｎ  ｍａｎａｇｅｍｅｎｔ、ＲＭ）は、ＵＥ／ユーザをネットワークに登録又は登録解除（ｄｅｒｅｇｉｓｔｅｒ）するために使用され、ユーザコンテキストをネットワークに確立する（ｅｓｔａｂｌｉｓｈ）。ＲＭ＿ＤＥＲＥＧＩＳＴＲＥＤ及びＲＭ＿ＲＥＧＩＳＴＥＲＥＤの２つのＲＭ状態がＵＥとＡＭＦで使用され、選択されたＰＬＭＮ内のＵＥの登録状態を反映する。接続管理（ｃｏｎｎｅｃｔｉｏｎ  ｍａｎａｇｅｍｅｎｔ、ＣＭ）はＵＥとＡＭＦの間のシグナリング接続を確立又は解除（ｒｅｌｅａｓｅ）するために使用される。ＣＭはＮ１上で（ｏｖｅｒ）ＵＥとＡＭＦの間のシグナリング接続を確立（ｅｓｔａｂｌｉｓｈｍｅｎｔ）及び解除（ｒｅｌｅａｓｅ）する機能を含む。かかるシグナリング接続はＵＥとコアネットワークの間のＮＡＳシグナリング交換（ｅｘｃｈａｎｇｅ）を可能にするために使用され、ＵＥとＡＮの間のＡＮシグナリング接続（例えば、３ＧＰＰ接続上でＲＲＣ接続）及びＡＮとＡＭＦの間のＵＥのためのＮ２接続を含む。ＵＥのＡＭＦとのＮＡＳシグナリング接続性（ｃｏｎｎｅｃｔｉｖｉｔｙ）を反映するために、２つの接続管理（ｃｏｎｎｅｃｔｉｏｎ  ｍａｎａｇｅｍｅｎｔ、ＣＭ）状態が使用される：ＣＭ＿ＩＤＬＥ及びＣＭ＿ＣＯＮＮＥＣＴＥＤ。ＣＭ＿ＩＤＬＥはＬＴＥ（即ち、４Ｇ）システムのＥＣＭ＿ＩＤＬＥと類似或いは対応する状態である。ＣＭ＿ＣＯＮＮＥＣＴＥＤは従来のＬＴＥシステムのＥＣＭ＿ＣＯＮＮＥＣＴＥＤと類似或いは対応する状態である。ＣＭ＿ＩＤＬＥ状態であるＵＥは、Ｎ１上でＡＭＦと確立されたいかなるＮＡＳシグナリング接続もなく、ＣＭ＿ＩＤＬＥ状態であるＵＥに対しては、いかなるＡＮシグナリング接続、Ｎ２接続及びＮ３接続もない。ＡＭＦはＮ２接続がＵＥのためにＡＮとＡＭＦの間で確立又は解除されるときにはいつでもＵＥに対してＣＭ＿ＣＯＮＮＥＣＴＥＤ状態に進入する。ＣＭ＿ＣＯＮＮＥＣＴＥＤ状態であるＵＥは、Ｎ１上でＡＭＦとのＮＡＳシグナリング接続を有する。ＮＡＳシグナリング接続はＵＥとＮＧ−ＲＡＮの間ではＲＲＣ接続を、そしてＡＮと３ＧＰＰ接続のためのＡＭＦの間ではＮＧＡＰ  ＵＥ関連（ａｓｓｏｃｉａｔｉｏｎ）を使用する。ＣＭ＿ＣＯＮＮＥＣＴＥＤ状態において、ＵＥはＡＮシグナリング接続が解除される時はいつでもＣＭ＿ＩＤＬＥ状態に進入する。ＡＭＦ内のＵＥ  ＣＭ状態がＣＭ＿ＣＯＮＮＥＣＴＥＤである時、ＡＭＦはＲＲＣ＿ＩＮＡＣＴＩＶＥを支援しないバージョンのＬＴＥシステムの場合は、ＥＣＭ＿ＣＯＮＮＥＣＴＥＤであるＵＥは、即ちＲＲＣ＿ＣＯＮＮＥＣＴＥＤであるＵＥであるが、ＣＭ＿ＣＯＮＮＥＣＴＥＤであるＵＥは、ＲＲＣ＿ＣＯＮＮＥＣＴＥＤであるＵＥであることができ、ＲＲＣ＿ＩＮＡＣＴＩＶＥであ��ＵＥであることもできる。
【０２２９】
ＲＲＣ＿ＩＮＡＣＴＩＶＥであるＵＥの場合、コアネットワークの観点では、ＵＥがまるでＲＲＣ＿ＣＯＮＮＥＣＴＥＤであることと類似して、コアネットワークが受信したデータ及びシグナリングがコアネットワークからＲＡＮ（例えば、ｇＮＢ）にすぐ伝達されるが、ＵＥとＲＡＮの間ではＲＡＮがデータ／シグナリングをＵＥに伝達するためには、ページング過程によりＵＥとＲＡＮの間に再度接続を確立する過程が必要である。
【０２３０】
一方、５Ｇシステムにおいて到達可能性（ｒｅａｃｈａｂｉｌｉｔｙ）の管理は、ＵＥが到達可能であるか否かを検出（ｄｅｔｅｃｔ）し、ＵＥに到達するためのＵＥ位置（即ち、接続ノード）をネットワークに提供する役割を果たす。これは、ＵＥをページングすることにより、またＵＥ位置をトラッキングすることにより行われる。ＵＥ位置トラッキングは、ＵＥ登録領域トラッキング（即ち、ＵＥ登録領域更新）及びＵＥ到達可能性トラッキング（即ち、ＵＥ周期的登録領域更新）の両方を含む。かかる機能性は、（ＣＭ＿ＩＤＬＥ状態の場合は）５ＧＣに位置するか、それとも（ＣＭ＿ＣＯＮＮＥＣＴＤ状態の場合は）ＮＧ−ＲＡＮに位置する。ＵＥとＡＭＦは登録手順及び登録更新手順の間に、ＣＭ＿ＩＤＬＥ状態のためのＵＥ到達可能性の特性を交渉する（ｎｅｇｏｔｉａｔｅ）。以下の２つのＵＥ到達可能性のカテゴリーがＣＭ＿ＩＤＬＥ状態のためにＵＥとＡＭＦの間に交渉される。
【０２３１】
１）ＵＥがＣＭ＿ＩＤＬＥ状態である間、着信（ｍｏｂｉｌｅ  ｔｅｒｍｉｎａｔｅｄ）データを許容するＵＥ到達可能性：ＵＥ位置はネットワークによりトラッキング領域リスト粒度（ｇｒａｎｕｌａｒｉｔｙ）と知られている。ページング手順がこのカテゴリーに適用される。発信（ｍｏｂｉｌｅ  ｏｒｉｇｉｎａｔｉｎｇ）及び着信（ｍｏｂｉｌｅ  ｔｅｒｍｉｎａｔｅｄ）データがこのカテゴリーでＣＭ＿ＣＯＮＮＥＣＥＤ及びＣＭ＿ＩＤＬＥの両方の状態のために適用される。
【０２３２】
２）ただモバイル開始接続（ｍｏｂｉｌｅ  ｉｎｉｔｉａｔｅｄ  ｃｏｎｎｅｃｔｉｏｎ  ｏｎｌｙ、ＭＩＣＯ）モード：発信データがこのカテゴリーでＣＭ＿ＣＯＮＮＥＣＥＤ及びＣＭ＿ＩＤＬＥの両方の状態のために適用される。着信データはＵＥがＣＭ＿ＣＯＮＮＥＣＴＥＤ状態である時にのみ支援される。即ち、ＭＩＣＯモードではＣＭ＿ＩＤＬＥにおいて着信通信が制限される。
【０２３３】
ＵＥとＡＭＦはＣＭ＿ＩＤＬＥ状態である時、ＭＩＣＯモードを活性化することによりＵＥの電力効率性及びシグナリング効率性を最適化することができる。ＵＥは初期登録或いは登録更新手順の間にＭＩＣＯモードに対する選好度を指示できる。ＡＭＦはローカルの設定、利用可能であれば予想ＵＥ行動（ｅｘｐｅｃｔｅｄ  ＵＥ  ｂｅｈａｖｉｏｒ）、ＵＥ指示選好度（ＵＥ  ｉｎｄｉｃａｔｅｄ  ｐｒｅｆｅｒｅｎｃｅ）、ＵＥ加入情報及びネットワークポリシー、又はこれらの組み合わせに基づいて、ＭＩＣＯモードがＵＥに対して許容されるか否かを決定し、登録手順の間にこれをＵＥに指示する。登録手順の間にＵＥがＭＩＣＯに対する選好度を指示しないと、ＡＭＦはこのＵＥに対してＭＩＣＯモードを活性化しない。ＵＥとＡＭＦが後続の登録手順ごとにＭＩＣＯモードを再交渉する。ＵＥがＣＭ＿ＣＯＮＮＥＣＴＥＤであると、ＡＭＦはＵＥ設定更新過程により登録更新をトリガーすることにより、ＭＩＣＯモードを非活性化することができる。ＡＭＦは登録手順の間に登録領域をＵＥに割り当てる。移動性制約がＭＩＣＯモードのＵＥに適用されると、ＡＭＦは許容又は非許容領域をＵＥに割り当てる必要がある。ＡＭＦがＭＩＣＯモードをＵＥに指示する場合、ＡＭＦはＡＭＦ内のＵＥ  ＣＭ状態がＣＭ＿ＩＤＬＥである間にはＵＥがいつも到達不可能（ｕｎｒｅａｃｈａｂｌｅ）であると判断する。ＡＭＦはＭＩＣＯモードでありながらＵＥ  ＣＭ状態がＣＭ＿ＩＤＬＥであるＵＥに対する下りリンクデータ配信（ｄｅｌｉｖｅｒｙ）のためのいかなる要求も拒絶する。ＭＩＣＯモードのＵＥは着信データ及びシグナリングに対してＵＥがＣＭ＿ＣＯＮＮＥＣＥＤである時にのみ到達可能である。ＭＩＣＯモードのＵＥは、ＣＭ＿ＩＤＬＥである間にはページングが必要ない。ＭＩＣＯモードのＵＥは、以下のトリガーのうちの１つによるＵＥがＣＭ＿ＩＤＬＥでＣＭ＿ＣＯＮＮＥＣＴＥＤへの遷移を開始するまで、ＣＭ＿ＩＤＬＥでいかなるアクセス層の手順も中断できる：
【０２３４】
−ＵＥ内の変更（ｃｈａｎｇｅ）（例えば、設定（ｃｏｎｆｉｇｕｒａｔｉｏｎ）における変更）がネットワークとの登録更新を求める（ｒｅｑｕｉｒｅ）。
【０２３５】
−周期的な登録タイマーが満了する。
【０２３６】
−発信（ｍｏｂｉｌｅ  ｏｒｉｇｉｎａｔｅｄ）データベンディング。
【０２３７】
−発信（ｍｏｂｉｌｅ  ｏｒｉｇｉｎａｔｅｄ）シグナリングベンディング（例えば、ＳＭ手順が開始される）。
【０２３８】
サービス要求（ｓｅｒｖｉｃｅ  ｒｅｑｕｅｓｔ）手順は、ＣＭ＿ＩＤＬＥ状態のＵＥ（ＵＥ  ｉｎ  ｃｍ＿ＩＤＬＥ  ｓｔａｔｅ）又は５ＧＣが安全な接続（ｓｅｃｕｒｅ  ｃｏｎｎｅｃｔｉｏｎ）の確立をＡＭＦに要求するために使用される。ＵＥがＣＭ＿ＩＤＬＥである時、及びＣＭ＿ＣＯＮＮＥＣＴＥＤである時の両方において、サービス要求手順は、確立されたＰＤＵセッションのためのユーザプレーン接続を活性化するためにも使用される。サービス要求手順には、上りリンクのシグナリングメッセージ、ユーザデータを送るために或いはネットワークページング要求に対する応答としてＣＭ＿ＩＤＬＥ状態のＵＥが開始するＵＥトリガーサービス要求（ＵＥ  ｔｒｉｇｇｅｒｅｄ  ｓｅｒｖｉｃｅ  ｒｅｑｕｅｓｔ）手順と、ネットワークがＵＥに信号（例えば、ＵＥへのＮ１シグナリング、着信（ｍｏｂｉｌｅ−ｔｅｒｍｉｎａｔｅｄ  ＳＭＳ）、着信ユーザデータ（ｍｏｂｉｌｅ  ｔｅｒｍｉｎａｔｉｎｇ  ｕｓｅｒ  ｄａｔａ）を配信するためのユーザプレーン接続活性化）を送る必要がある時に使用されるネットワークトリガーサービス要求手順がある。
【０２３９】
図１２は次世代システムにおけるネットワークトリガーサービス要求手順を例示する図である。
【０２４０】
ＵＥがＣＭ＿ＩＤＬＥ状態又はＣＭ＿ＣＯＮＮＥＣＴＥＤ状態であると、ネットワークはネットワークトリガーサービス要求手順を開始する。ＵＥがＣＭ＿ＩＤＬＥ状態であり、非同期（ａｓｙｎｃｈｒｏｎｏｕｓ）通信が活性化されていない場合、ネットワークは（Ｒ）ＡＮ／ＵＥにページング要求を送る。ページング要求はＵＥにおけるサービス要求手順をトリガーする。非同期通信が活性化されると、ネットワークは受信されたメッセージを貯蔵し、ＵＥがＣＭ＿ＣＯＮＮＥＣＴＥＤ状態に進入する時、（Ｒ）ＡＮ及び／又はＵＥにメッセージを転送する（ｆｏｒｗａｒｄ）（即ち、（Ｒ）ＡＮ及び／又はＵＥとのコンテキストを同期化する）。
【０２４１】
図１２を参照して、ネットワークトリガーサービス要求手順を簡略に説明すると、以下の通りである。
【０２４２】
＞１．ＵＰＦがＰＤＵセッションの下りリンクデータを受信し、ＰＤＵセッションに対してＵＰＦに貯蔵された（Ｒ）ＡＮトンネル情報がない場合、ＵＰＦが以前にバッファリングオフ（ｂｕｆｆｅｒｉｎｇ−ｏｆｆ）の指示を受けていないと、ＵＰＦは下りリンクデータをバッファリングする。
【０２４３】
＞２ａ．ＵＰＦ  ｔｏ  ＳＭＦ：（ＰＤＵセッションＩＤを含む）データ通知。
【０２４４】
＞２ｂ．ＳＭＦ  ｔｏ  ＵＰＦ：データ通知ＡＣＫ。
【０２４５】
＞３ａ．ＳＭＦ  ｔｏ  ＡＭＦ：（ＵＥ（即ち、加入者）永久ＩＤ、ＰＤＵセッションＩＤ、Ｎ２  ＳＭ情報（例えば、ＱｏＳプロファイル、ＣＮ  Ｎ３トンネル情報など）などを含む）Ｎ１１メッセージ。ＵＥが到達不可能であるとＳＭＦが以前に通知を受けていないと、データ通知メッセージの受信時に、ＳＭＦはＡＭＦを決定し、段階２ａで受信されたＰＤＵセッションＩＤを含むＮ１１メッセージをＡＭＦに送る。
【０２４６】
＞３ｂ．［条件的（ｃｏｎｄｉｔｉｏｎａｌ）］ＡＭＦがＳＭＦに応答する（ｒｅｓｐｏｎｓｅ）。
【０２４７】
ＵＥがＣＭ＿ＩＤＬＥ状態であり、ＡＭＦがＵＥがページングのために到達不可能であると決定すると、ＡＭＦはＳＭＦに、或いは段階３ａでＡＭＦが要求メッセージを受信した他のネットワーク機能に、ＵＥが到達可能ではないことを指示しながらＮ１１メッセージを送信するか、又はＡＭＦは非同期通信を行い、Ｎ１１メッセージを貯蔵する。非同期タイプの通信が発動され（ｉｎｖｏｋｅ）、ＡＭＦがＮ１１メッセージを貯蔵した場合は、ＡＭＦはＵＥが到達可能である時、例えば、ＵＥがＣＭ＿ＣＯＮＮＥＣＴＥＤ状態に進入する時に、ＵＥ及び（Ｒ）ＡＮとの通信を開始する。
【０２４８】
ＵＥがＭＩＣＯモードであると、ＡＭＦはＳＭＦからの要求を拒絶し、下りリンクデータ通知をＡＭＦに送る必要がないという指示（ｉｎｄｉｃａｔｉｏｎ）を有して、（ＳＭＦがＵＥ到達可能性に加入しなかった場合に対比して）ＵＥが到達不可能であることをＳＭＦに通知することができる。ＡＭＦは、ＳＭＦにＵＥが到達不可能であることが通知されたという指示を貯蔵する。
【０２４９】
旧ＡＭＦがＮ１１メッセージを受信する時、ＡＭＦ変更のある登録手順（ｒｅｇｉｓｔｒａｔｉｏｎ  ｐｒｏｃｅｄｕｒｅ  ｗｉｔｈ  ＡＭＦ  ｃｈａｎｇｅ）が進行中（ｉｎ  ｐｒｏｇｒｅｓｓ）であると、旧ＡＭＦはＮ１１メッセージが一時的に（ｔｅｍｐｏｒａｒｉｌｙ）拒絶されたという指示（ｉｎｄｉｃａｔｉｏn）を有してＮ１１メッセージを拒絶することができる。
【０２５０】
＞３ｃ．  ［条件的］ＳＭＦがＵＰＦに応答する。ＳＭＦはＵＰＦにユーザプレーンセットアップ失敗を通知することができる。ＳＭＦはＵＥが到達不可能であるという指示をＡＭＦから受信すると、ＳＭＦはネットワークポリシーに基づいてＵＰＦにデータ通知を送ることを中断、及び／又はＤＬデータをバッファリングすることを中断するように指示するか又は拡張（ｅｘｔｅｎｄｅｄ）バッファリングを適用することを指示することができる。ＳＭＦから要求されたＮ１１メッセージが一時的に拒絶されたという情報を受信した時、またＵＰＦからの下りリンクデータ通知を受信すると、ＳＭＦはＵＰＦに拡張（ｅｘｔｅｎｄｅｄ）バッファリングを適用することを要求することができる。
【０２５１】
＞４．  ［条件的］ＡＭＦがページングメッセージを（Ｒ）ＡＮノードに送る。
【０２５２】
ＵＥがＣＭ＿ＣＯＮＮＥＣＴＥＤ状態であると、ＡＭＦはこのＰＤＵセッションのためのユーザプレーン接続を活性化するためのＵＥトリガーサービス要求手順の一部（３ＧＰＰ  ＴＳ  ２３．５０２のＵＥトリガーサービス要求手順参照）を行う。ＵＥがＲＭ＿ＲＥＧＩＳＴＥＲＥＤ状態及びＣＭ＿ＩＤＬＥ及び到達可能な場合、ＡＭＦはＵＥが登録された登録領域に属する（Ｒ）ＡＮノードにページングメッセージ（ページングのためのＮＡＳＩＤ、登録領域リスト、ページング不連続受信（ｄｉｓｃｏｎｔｉｎｕｏｕｓ  ｒｅｃｅｐｔｉｏｎ、ＤＲＸ）長さ、ページング優先順位（ｐｒｉｏｒｉｔｙ）指示などを含む）を送る。
【０２５３】
＞５．  ［条件的］（Ｒ）ＡＮノードがＵＥをページングする。
【０２５４】
（Ｒ）ＡＮノードがＡＭＦからページングメッセージを受信すると、ＵＥが（Ｒ）ＡＮノードによりページングされる。
【０２５５】
＞６．  ［条件的］ＡＭＦ  ｔｏ  ＳＭＦ：Ｎ１１メッセージＡＣＫ。ＡＭＦはタイマーを使用してページング手順を監督する（ｓｕｐｅｒｖｉｓｅ）。ＡＭＦがＵＥからページング要求メッセージに対する応答を受信しないと、ＡＭＦは適用可能なページング戦略によって追加ページングを適用することができる。ＡＭＦがＵＥからいかなる応答も受信しないと、ＡＭＦはＵＥが到達不可能であると判断し、ＳＭ  Ｎ２メッセージが（Ｒ）ＡＮにルーティングできないので、ＵＥが応答することを防いでいるＭＭ手順をＡＭＦが認知しない限り、即ち、ＡＭＦが他のＡＭＦとの登録手順を行うと指示するＮ１４コンテキスト要求メッセージを受信しない限り、ＡＭＦは適切な"失敗原因（ｆａｉｌｕｒｅ  ｃａｕｓｅ）"（例えば、ＵＥ到達不可能性）を有する"Ｎ１１メッセージ拒絶"をＳＭＦ又は他のネットワーク機能に送って"メッセージルーティングサービス"の失敗を指示する。"Ｎ１１メッセージ拒絶"が受信されると、ＳＭＦはＵＰＦに知らせる。
【０２５６】
＞７．ＵＥがＣＭ＿ＩＤＬＥ状態である時、ページング要求を受信すると、ＵＥはＵＥトリガーサービス要求手順を開始する。
【０２５７】
＞ＵＰＦはサービス要求手順を行った（Ｒ）ＡＮノードを介してバッファリングされたＤＬデータをＵＥに送信する。
【０２５８】
図１２において、Ｎ１１メッセージ及びＮ１１メッセージＡＣＫは、ＳＭＦとＡＭＦの間のインターフェースであるＮ１１インターフェース上に伝達されるメッセージであり、Ｎ１１メッセージ及びＮ１１メッセージＡＣＫは他の名称で呼ばれることもできる。図１２に示されたネットワークトリガーサービス要求手順のうち、本発明と直接関連のないか又は少ない部分に関する詳しい説明は、３ＧＰＰ  ＴＳ  ２３．５０２を参照できる。
【０２５９】
図１３は次世代システムにおける一般的な登録手順を例示する図である。
【０２６０】
＞１．ＵＥ  ｔｏ  （Ｒ）ＡＮ：ＡＮメッセージ（ＡＮパラメータ、登録要求（登録タイプ、加入者永久識別子（ｓｕｂｓｃｒｉｂｅｒ  ｐｅｒｍａｎｅｎｔ  ｉｄｅｎｔｉｆｉｅｒ、ＳＵＰＩ）或いは５Ｇグローバル固有一時的識別子（５Ｇ  ｇｌｏｂａｌｌｙ  ｕｎｉｑｕｅ  ｔｅｍｐｏｒａｒｙ  ｉｄｅｎｔｉｔｙ、５Ｇ−ＧＵＴＩ）、セキュリティパラメータ、ネットワークスライス選択補助情報（ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ、ＮＳＳＡＩ）、ＰＤＵセッション状態、再活性化されるＰＤＵセッション及びＭＩＣＯモード選好度などを含む）を含む）。
【０２６１】
＞２．  ＳＵＰＩが含まれるか又は５Ｇ−ＧＵＴＩが有効な（ｖａｌｉｄ）ＡＭＦを指示しないと、（Ｒ）ＡＮは（Ｒ）ＡＴ及びＮＳＳＡＩに基づいて利用可能であればＡＭＦを選択する。
【０２６２】
＞３．  （Ｒ）ＡＮ  ｔｏ  新ＡＭＦ：Ｎ２メッセージ（Ｎ２パラメータ、登録要求（登録タイプ、ＳＵＰＩ又は５Ｇ−ＧＵＴＩ、セキュリティパラメータ、ＮＳＳＡＩ及びＭＩＣＯモードパラメータなどを含む）を含む）。
【０２６３】
＞４．  ［条件的］新ＡＭＦ  ｔｏ  旧ＡＭＦ：情報要求（完了登録要求（ｃｏｍｐｌｅｔｅ  Ｒｅｇｉｓｔｒａｔｉｏｎ  Ｒｅｑｕｅｓｔ）を含む）。ＵＥの５Ｇが登録要求内に含まれ、サービングＡＭＦが最後の登録以後に変更されると、新ＡＭＦはＵＥのＳＵＰＩ及びＭＭコンテキストを要求するために旧ＡＭＦに完了登録要求ＩＥを含む情報要求を送る。
【０２６４】
＞５．  ［条件的］旧ＡＭＦ  ｔｏ  新ＡＭＦ：情報応答（ＳＵＰＩ、ＭＭコンテキスト、ＳＭＦ情報）。
【０２６５】
＞６．  ［条件的］新ＡＭＦ  ｔｏＵＥ：識別子要求。ＳＵＰＩがＵＥにより提供されず、旧ＡＭＦからも検索されないと、識別子要求手順がＡＭＦにより識別子要求メッセージをＵＥに送ることにより開始される。
【０２６６】
＞７．  ［条件的］ＵＥ  to  新ＡＭＦ：識別子応答。ＵＥはＳＵＰＩを含む識別子応答メッセージで応答する。
【０２６７】
＞８．  ＡＭＦはＡＵＳＦを発動（ｉｎｖｏｋｅ）することを決定できる。この場合、ＡＭＦはＳＵＰＩに基づいてＡＵＳＦを選択する。
【０２６８】
＞９ａ．  ＡＵＳＦはＵＥの認証（ａｕｔｈｅｎｔｉｃａｔｉｏｎ）を開始する。
【０２６９】
＞９ｂ．  ＡＭＦはＮＡＳセキュリティ（ｓｅｃｕｒｉｔｙ）機能を開始する。
【０２７０】
＞１０．  ［条件的］新ＡＭＦ  ｔｏ  旧ＡＭＦ：情報認定（ｉｎｆｏｒｍａｔｉｏｎ  ａｃｋｎｏｗｌｅｄｇｅｄ）。ＡＭＦが変更されたら、新ＡＭＦはＵＥ  ＭＭコンテキストの伝達を認める。
【０２７１】
＞１１．  ［条件的］新ＡＭＦ  ｔｏ  ＵＥ：識別子要求。永久機器識別子（ｐｅｒｍａｎｅｎｔ  ｅｑｕｉｐｍｅｎｔ  ｉｄｅｎｔｉｔｙ、ＰＥＩ）がＵＥにより提供されず、旧ＡＭＦからも検索されないと、識別子応答手順がＰＥＩを検索するために、ＡＭＦにより識別子要求メッセージをＵＥに送ることにより開始される。
【０２７２】
＞１２．  選択的に（ｏｐｔｉｏｎａｌｌｙ）新ＡＭＦがＭＥ識別子チェックを開始する。
【０２７３】
＞１３．  段階１４が行われると、新ＡＭＦはＳＵＰＩに基づいてＵＤＭを選択する。
【０２７４】
＞１４．  最後の登録以後にＡＭＦが変更されるか、ＡＭＦにＵＥに対する有効な加入コンテキストが存在しないか、ＵＥがＡＭＦ内の有効なコンテキストを参照しないＳＵＰＩを提供するか、又はＵＥが非３ＧＰＰ接続にすでに登録した同一のＡＭＦに登録すると（即ち、ＵＥは非３ＧＰＰ接続により登録され、３ＧＰＰ接続を追加するためにこの登録手順を開始すると）、新ＡＭＦは位置更新（Ｕｐｄａｔｅ  Ｌｏｃａｔｉｏｎ）手順を開始する。新ＡＭＦはＵＤＭにＵＥに対してサービスする接続タイプを提供し、接続タイプは"３ＧＰＰ接続"にセットされる。ＵＤＭは関連する接続タイプをサービングＡＭＦとともに貯蔵する。これはＵＤＭをして３ＧＰＰ接続に該当する以前のＡＭＦに対する取り消し位置（Ｃａｎｃｅｌ  Ｌｏｃａｔｉｏｎ）を示すようにする。旧ＡＭＦはＭＭコンテキストを除去し、全ての関連可能性のある（ｐｏｓｓｉｂｌｙ  ａｓｓｏｃｉａｔｅｄ）ＳＭＦに通知し、新ＡＭＦはＡＭＦ関連の加入データをＵＤＭから得た後に、ＵＥに対するＭＭコンテキストを生成する。
【０２７５】
＞１５．  条件的にＡＭＦはＳＵＰＩに基づいてＰＣＦを選択する。
【０２７６】
＞１６．  ［選択的（ｏｐｔｉｏｎａｌ）］新ＡＭＦ  ｔｏ  ＰＣＦ：ＵＥコンテキストの確立要求（ＳＵＰＩを含む）。ＡＭＦがＵＥに対する接続及び移動性ポリシーをまだ得ていないと、又はＡＭＦ内の接続及び移動性ポリシーがそれ以上有効ではないと、ＡＭＦはＰＣＦにＵＥのための事業者（ｏｐｅｒａｔｏｒ）ポリシーを適用することを要求する。
【０２７７】
＞１７．  ＰＣＦ  ｔｏ  新ＡＭＦ：ＵＥコンテキストの確立認定（ＵＥ  Ｃｏｎｔｅｘｔ  Ｅｓｔａｂｌｉｓｈｍｅｎｔ  Ａｃｋｎｏｗｌｅｄｇｅｄ）（接続及び移動性ポリシーデータを含む）
【０２７８】
＞１８．  ［条件的］新ＡＭＦ  ｔｏ  ＳＭＦ：Ｎ１１要求。ＵＥがＭＩＣＯモードであり、ＡＭＦがＳＭＦにＵＥの到達不可能及びＳＭＦがＤＬデータ通知をＡＭＦに送る必要がないことを通知した場合は、ＡＭＦはＳＭＦにＵＥが到達可能であると知らせる。
【０２７９】
＞１９．  ＳＭＦ  ｔｏ  新ＡＭＦ：Ｎ１１応答。
【０２８０】
＞２０．  ［条件的］旧ＡＭＦ  ｔｏ  ＰＣＦ：ＵＥコンテキストの終了要求（ＵＥ  Ｃｏｎｔｅｘｔ  Ｔｅｒｍｉｎａｔｉｏｎ  Ｒｅｑｕｅｓｔ）。旧ＡＭＦが以前にＵＥコンテキストがＰＣＦに確立されるように要求した場合には、旧ＡＭＦはＰＣＦ内のＵＥコンテキストを終了する。
【０２８１】
＞２１．  ＰＣＦ  ｔｏ  ＡＭＦ：ＵＥコンテキストの終了認定（ＵＥ  Ｃｏｎｔｅｘｔ  Ｔｅｒｍｉｎａｔｉｏｎ  Ａｃｋｎｏｗｌｅｄｇｅｄ）。
【０２８２】
＞２２．  新ＡＭＦ  ｔｏ  ＵＥ：登録受容（Ｒｅｇｉｓｔｒａｔｉｏｎ  Ａｃｃｅｐｔ）（５Ｇ−ＧＵＴＩ、登録領域、移動性制約、ＰＤＵセッション状態、ＮＳＳＡＩ、周期的登録更新タイマー、地域データネットワーク（ｌｏｃａｌ  ａｒｅａ  ｄａｔａ  ｎｅｔｗｏｒｋ、ＬＡＤＮ）情報及び受容されたＭＩＣＯモードなどを含む）。ＵＥが要求にＭＩＣＯモードを含ませた場合には、ＡＭＦはＭＩＣＯモードを使用するか否かを応答する。
【０２８３】
＞２３．  ［条件的］ＵＥ  ｔｏ  新ＡＭＦ：登録完了（Ｒｅｇｉｓｔｒａｔｉｏｎ  Ｃｏｍｐｌｅｔｅ）。新しい５Ｇ−ＧＵＴＩが割り当てられた場合には、ＵＥはＡＭＦに登録完了メッセージを送って認定する。
【０２８４】
図１３において、Ｎ１１要求（Ｎ１１  Ｒｅｑｕｅｓｔ）及びＮ１１応答（Ｎ１１  Ｒｅｓｐｏｎｓｅ）は、ＳＭＦとＡＭＦの間のインターフェースであるＮ１１インターフェース上に伝達されるメッセージであり、Ｎ１１要求及びＮ１１応答は他の名称で呼ばれることもできる。図１３に示された一般的な登録手順のうち、後述する本発明と直接関連のないか又は少ない部分に関する詳しい説明は、３ＧＰＰ  ＴＳ  ２３．５０２を参照できる。
【０２８５】
ＵＥ移動性（ＵＥｍｏｂｉｌｉｔｙ）に関連して、５Ｇシステムでは移動性制約機能性（ｍｏｂｉｌｉｔｙ  ｒｅｓｔｒｉｃｔｉｏｎ  ｆｕｎｃｔｉｏｎａｌｉｔｙ）が５Ｇシステム内のＵＥの移動性ハンドリング又はサービス接続を制約（ｒｅｓｔｒｉｃｔ）するために、ＵＥ、無線アクセスネットワーク及びコアネットワークにより提供される。移動性制約は３ＧＰＰ接続にのみ適用され、非３ＧＰＰ接続には提供されない。ＣＭ＿ＩＤＬＥ状態及びＣＭ＿ＣＯＮＮＥＣＴＥＤ状態に対する移動性制約は、コアネットワークから受信された情報に基づいてＲＲＣ＿ＩＮＡＣＴＩＶＥ状態である時、ＵＥにより実行される。ＣＭ＿ＣＯＮＮＥＣＴＥＤ状態に対する移動性制約が無線アクセスネットワーク及びコアネットワークによりＲＲＣ＿ＣＯＮＮＥＣＴＥＤ状態である時に実行される。ＣＭ＿ＣＯＮＮＥＣＴＥＤ状態において、コアネットワークはハンドオーバー制約リストを有して無線アクセスネットワークに移動性制約を提供する。移動性制約は以下のようにＲＡＴ制約、禁止（ｆｏｒｂｉｄｄｅｎ）領域及びサービス領域制約で構成される。
【０２８６】
−ＲＡＴ制約：ＵＥが接続できない３ＧＰＰ無線アクセス技術を定義する。制約されたＲＡＴにおいて、ＵＥはネットワークとの任意の通信を開始するように許容されない加入（ｓｕｂｓｃｒｉｐｔｉｏｎ）に基づく。
【０２８７】
−禁止領域：与えられたＲＡＴ下の禁止領域において、ＵＥはネットワークとの任意の通信を開始するように許可されない加入に基づく。
【０２８８】
−サービス領域制約：ＵＥがネットワークとの通信を開始できる或いは開始できない地域を定義する。即ち、サービス領域制約は、ＵＥが通信を開始することが許容される許容領域（ａｌｌｏｗｅｄ  ａｒｅａ）と、ＵＥが登録手順を開始することは許容されるが、他の通信は許容されない領域である非許容領域（Ｎｏｎ−ａｌｌｏｗｅｄ  ａｒｅａ）を定義する。与えられたＲＡＴ下における許容領域内において、ＵＥは加入により許容された通りネットワークとの通信を開始することが許可される。与えられたＲＡＴ下における非許容領域内において、ＵＥは加入に基づいてサービス領域が制約される。非許容領域内において、ＵＥ及びネットワークは（ＣＭ＿ＩＤＬＥ及びＣＭ＿ＣＯＮＮＥＣＴＥＤ状態の両方において）ユーザサービスを得るためのサービス要求又はＳＭシグナリングを開始することが許容されない。非許容領域内において、ＲＭ手順はＵＥが許容領域にいる時と比較して変更されない。非許容領域内のＵＥはサービス要求（例えば、ネットワークトリガーサービス要求）を有してコアネットワークのページングに応答する。ページングはユーザサービスではなく、ＲＭシグナリング（例えば、ＵＥ設定更新）或いは応急サービスであることができるためである。
【０２８９】
与えられたＵＥに対して、コアネットワークはＵＥ加入情報に基づいてサービス領域制約を決定する。選択的には、許容領域は、例えば、ＵＥ位置、永久機器識別子（ｐｅｒｍａｎｅｎｔ  ｅｑｕｉｐｍｅｎｔ  ｉｄｅｎｔｉｆｉｅｒ、ＰＥＩ）及びネットワークポリシーに基づく、ポリシー制御機能（ｐｏｌｉｃｙ  ｃｏｎｔｒｏｌ  ｆｕｎｃｔｉｏｎ、ＰＣＦ）によりさらに微細調整される。サービス地域の制約は、例えば、加入、位置、ＰＥＩ及び／又はポリシー変更により変更される。サービス領域制約は登録手順の間に更新されることができる。ＵＥがＲＡＴ制約、禁止領域、許容領域及び非許容領域又はこれらの任意の組み合わせにおいて重なる領域を有する場合、ＵＥは以下の優先順位（ｐｒｅｃｅｄｅｎｃｅ  ｏｒｄｅｒ）により進行する：
【０２９０】
−ＲＡＴ制約の評価は、いかなる他の移動性制約の評価に対して優先する；及び
【０２９１】
−禁止地域の評価は、許容領域及び非許容領域の評価に対して優先する。
【０２９２】
ＵＥは、応急サービス及びマルチメディア優先サービス（ｍｕｌｔｉｍｅｄｉａ  ｐｒｉｏｒｉｔｙ  ｓｅｒｖｉｃｅ、ＭＰＳ）のような規制優先化サービス（ｒｅｇｕｌａｔｏｒｙ  ｐｒｉｏｒｉｔｉｚｅｄ  ｓｅｒｖｉｃｅ）のためにネットワークに接続するたびに禁止領域及び非許容領域の制約を無視する。またネットワークは、応急サービス及びＭＰＳのような規制優先化サービスに対する非許容領域の制約を無視する。サービス領域の制約は１つ以上（例えば、最大１６個）の全体トラッキング領域を含むことができる。ＵＥの加入データは明示的なトラッキング領域識別子を使用した許容又は非許容領域を含むことができる。また許容領域はトラッキング領域の最大許容個数により制限されることができる。或いは、許容領域は代わりに（ａｌｔｅｒｎａｔｉｖｅｌｙ）無制限（ｕｎｌｉｍｉｔｅｄ）に設定（ｃｏｎｆｉｇｕｒｅ）、即ち、ＰＬＭＮの全てのトラッキング領域を含むことができる。非許容領域内のＵＥの登録領域は、ＵＥの非許容領域に属するトラッキング領域（ｔｒａｃｋｉｎｇ  ａｒｅａ、ＴＡ）のセットで構成される。許容領域内のＵＥの登録領域は、ＵＥの許容領域に属するＴＡのセットで構成される。ＵＤＭはＵＥの加入データの一部であって、ＵＥのサービス領域制限を貯蔵する。サービングネットワーク内のＰＣＦは、（例えば、ＵＥの位置、使用中のアプリケーション、時間及び日時のような様々な条件により）許容領域を拡張することにより、又は非許容領域を減少させることにより、又はトラッキング領域の最大許容数を増加させることにより、ＵＥのサービス領域制約をさらに調整することができる。ＵＤＭとＰＣＦはいつでもＵＥのサービス領域制約を更新できる。ＣＭ＿ＣＯＮＮＥＣＴＥＤ状態のＵＥに対して、ＡＭＦはＵＥ及びＲＡＮを直ちに更新する。ＣＭ＿ＩＤＬＥのＵＥに対して、ＡＭＦはＵＥを直ちにページングするか又は更新されたサービス領域制約を貯蔵し、ＵＥとの次のシグナリング相互作用時にＵＥを更新することができる。登録の間に、ＵＥのサービス領域制約がＡＭＦに存在しないと、ＡＭＦはＰＣＦによりさらに調整可能なＵＥのサービス領域制約をＵＤＭから持ってくる（ｆｅｔｃｈ）。サービングＡＭＦはＵＥのサービス領域制約を施行する。トラッキング領域の最大許容個数により与えられた制限された許容領域は、トラッキング領域の最大許容個数に到達するまで、（ＵＥにより）まだ訪問していないトラッキング領域を許容領域に追加してＡＭＦにより動的に割り当てられることができる。ＡＭＦが制限された許容領域をＵＥに割り当てるとき、ＡＭＦは任意の予め設定された及び／又は動的に割り当てられた許容領域をＵＥに提供する。ＣＭ＿ＣＯＮＮＥＣＴＥＤ状態にあるＵＥの場合、ＡＭＦはこのＵＥのサービス領域制約をＲＡＮに指示する。ＵＥは受信された移動性制約を貯蔵し、移動性制約で識別された領域内でこれらを守る。移動性によりサービングＡＭＦが変更されると、旧ＡＭＦは新ＡＭＦにＵＥのサービス領域制約を提供することができ、これはＰＣＦによりさらに調整できる。ネットワークは一般ＵＥ設定更新（ｇｅｎｅｒｉｃ  ＵＥ  ｃｏｎｆｉｇｕｒａｔｉｏｎ  Ｕｐｄａｔｅ）手順（３ＧＰＰ  ＴＳ  ２３．５０２���参照）を有してサービス領域制約を更新するために非許容領域にあるＵＥに対するページングを行うことができる。ローミングの場合、サービス領域制約は訪問ＡＭＦを通じてＵＤＭから訪問ネットワークのサービングＰＣＦに伝達される。訪問ネットワークのサービングＰＣＦはさらにサービス領域制約を調整できる。
【０２９３】
図８（ａ）を参照すると、（Ｒ）ＡＮとＵＰＦの間にＮ３インターフェースが確立されていると、ＤＮからＵＰＦに提供されたデータ／シグナリングが直ちに（Ｒ）ＡＮに伝達されることができる。Ｎ３インターフェースがないとき、ＤＮからデータを受信すると、ＵＰＦは送るデータがあることをＳＭＦに通知し、ＳＭＦがＡＭＦにデータ通知関連メッセージを送る（図１２の段階３ａを参照）。一般的にＡＭＦはＵＥがＣＯＮＮＥＣＴＥＤ状態（例えば、ＣＭ＿ＣＯＮＮＥＣＴＥＤ状態）であると、Ｎ３インターフェースの確立のための手順を行い、ＵＥがＲＲＣ＿ＩＤＬＥ或いはＲＲＣ＿ＩＮＡＣＴＩＶＥであると、ページングを行う。しかし、ＵＥが特定の領域で登録手順及びページング受信などは許容されるが、サービス要求及びユーザサービスが許容されない移動性制約、特に非許容領域が提案される。即ち、ＵＥがＭＩＣＯモードであると、ＵＥが全然ページングを受信できない状態であるが、ＵＥが非許容領域に位置する場合には、ページングが許容されないことではない。ＵＥが非許容領域であると、一般的にＵＥはＣＯＮＮＥＣＴＥＤ状態（例えば、ＣＭ＿ＣＯＮＮＥＣＴＥＤ状態）ではない。従って、ＵＥが非許容領域である時にも、従来の一般的なネットワークトリガーサービス手順によってＵＥに対するページング手順が必要であるかが問題である。本発明はＵＥが非許容領域に位置する時、ＵＥに対するデータサービス制御方法を提案する。例えば、ＡＭＦが非許容領域にいるＵＥに対するＤＬデータがあることを示す要求（例えば、Ｎ１１メッセージ）をＳＭＦから受信した場合、データ通知をどのように処理するかを提案する。
【０２９４】
本発明は、ネットワークトリガーされたサービス要求手順の場合、ＡＭＦはＳＭＦから下りリンクデータ通知（ｄｏｗｎｌｉｎｋ  ｄａｔａ  ｎｏｔｉｆｉｃａｔｉｏｎ、ＤＤＮ）関連メッセージを受信した時、ＵＥがＭＩＣＯを適用せずＵＥが非許容にいることを認知した場合、ＡＭＦがページングを送信する代わりに、ＳＭＦにＤＤＮ関連メッセージに対する拒絶を送信することを提案する。但し、ＡＭＦが受信したＤＤＮ関連メッセージに含まれた割り当て及び保存優先順位（ａｌｌｏｃａｔｉｏｎ  ａｎｄ  ｒｅｔｅｎｔｉｏｎ  ｐｒｉｏｒｉｔｙ、ＡＲＰ）情報を確認し、該当データが規制優先化サービス（例えば、応急サービス或いはＭＰＳ）を認知した場合は、本発明はＡＭＦが非許容領域である場合にも、ページングを送信し、ＤＤＮ関連要求を拒絶しないことを提案する。本発明において、ＡＭＦはＵＥが非許容領域にいることからＤＤＮによるＳＭＦの要求に対する拒絶をＳＭＦに送信する時、ＵＥがサービス不可能地域にいるという指示／原因とともに送信することができる。指示／原因は、ＵＥが非許容領域にいるという情報を含む。ＵＥが非許容領域に位置することによるＳＭＦの要求に対する拒絶は、ＵＥがＭＩＣＯモードなどを使用する場合とは異なる原因で表される。例えば、図１２の段階３ａにおいて、本発明によれば、ＵＥが到達不可能であるか又は非許容領域にいるとＳＭＦに予め通知されていないと、データ通知メッセージの受信時に、ＳＭＦはＡＭＦを決定し、段階２ａで受信されたＰＤＵセッションＩＤを含むＮ１１メッセージをＡＭＦに送ることができる。即ち、図１２の段階３ａにおいて、本発明によると、ＵＥが規制優先サービスに対してのみ到達可能な非許容領域にいると予め通知されたＳＭＦは、規制優先サービスではないＰＤＵセッションに対するデータ通知に関連する要求（例えば、Ｎ１１メッセージ）をＡＭＦに送らない。他の例として、図１２の段階３ｂにおいて、本発明によれば、ＵＥがＭＩＣＯモードではなく、ＡＭＦがＵＥが非許容領域内にいることを検出すると、ＳＭＦからの要求（例えば、ＳＭＦからＡＭＦへのデータ通知関連要求）が規制優先化サービスのためのものではない限り、ＡＭＦはＳＭＦからの要求を拒絶し、ＳＭＦにＵＥが規制優先化サービスに対してのみ到達可能であることを通知する。また他の例として、本発明によれば、ＳＭＦがＵＥが到達不可能であるか又は非許容領域にいるという指示をＡＭＦから受信すると、図１２の段階３ｃにおいて、ＳＭＦはネットワークポリシーに基づいてＵＰＦにデータ通知を送ることを中断及び／又はＤＬデータをバッファリングすることを中断するように指示するか、又は拡張バッファリングを適用することを指示することができる。
【０２９５】
ＳＭＦからの下りリンクデータ通知関連要求を拒絶したＡＭＦは、該当ＤＤＮ拒絶をＳＭＦに送信したという情報を貯蔵、即ち、ＡＭＦはＳＭＦにＵＥがサービス制約領域（例えば、非許容領域）にいることが通知されたと貯蔵することができる。ＡＭＦは今後登録手順を行う時、ＵＥが許容地域に移動すると、ＳＭＦにＵＥのサービスが可能であるという通知を行うために情報を使用することができる。
【０２９６】
本発明において、ＳＭＦはＡＭＦから該当原因を有するＤＤＮ拒絶を受信すると、（規制優先化サービスのためのＤＤＮではない限り、非許容領域にいるＵＥに対して）ネットワークポリシーによりＤＤＮを送らないか（例えば、ＳＭＦがＡＭＦからＵＥが許容領域に進入したという通知を受けるまでは、ＤＬパケットをさらに受信してもＡＭＦにこれを送信することを要求（ＤＤＮ送信）しないか）、又はバッファリングをオフすることをＵＰＦに命令することができる。場合によっては、ＳＭＦはＰＤＵセッション解除を行うことができる。
【０２９７】
今後ＵＥが移動性により登録手順を行う場合、例えば、図１３の段階１８において、本発明によると、ＵＥに対してＵＥがサービス不可能地域（サービス制約地域ともいう）（又は非許容地域）に位置するとＤＤＮ拒絶を以前にＳＭＦに送ったというイベントを貯蔵した場合、またＵＥが許容領域に進入したことを検出した場合、ＡＭＦは、ＳＭＦにＵＥがサービス可能地域に移動したと通知することができる。この場合、ＳＭＦは該当ＰＤＵセッションに対するバッファリングを開始することをＵＰＦに命令するか、又は中断したＤＤＮ動作を再開することができる。
【０２９８】
本発明において、ＳＭＦとＵＰＦの間のＮ４インターフェース関連の相互作用は以下の通りである。ＳＭＦは、（ＵＰＦを制御するための任意のＮ４インターフェースを含んで）ＰＤＵセッション上でエンドツーエンド（ｅｎｄ−ｔｏ−ｅｎｄ）機能を支援する。いくつかのＤＬデータが下りリンクＮ３トンネルのないＵＥに対して到着したことがＵＰＦにより認知されると、ＳＭＦがＵＥが到達不可能であると認知しない限り、またＤＬデータ通知がＡＭＦに送られる必要がないか、又はＵＥが（規制優先化サービスを除いて）非許容領域にいると認知しない限り、ＰＤＵセッションのためのユーザプレーンリソースの活性化をトリガーするために、ＳＭＦはＡＭＦと相互作用する。ＵＥがＣＭ＿ＩＤＬＥ状態であり、かつＵＥがＭＩＣＯモードでないと、またＵＥが非許容領域にいないか又はＵＥが非許容領域にいても、ＵＥに対するページングが規制優先化サービスのためのものであれば、ＡＭＦは（ＡＮのタイプに依存して）ＡＮからのＵＥページングをトリガーする。ＵＥがＭＩＣＯモードであると、ＡＭＦはＵＥが到達不可能であり、ＤＬデータ通知がＡＭＦに送られる必要がないとＳＭＦに通知できる。ＵＥが非許容領域にいると、ＡＭＦはＳＭＦからの（規制優先化サービスのためのものではない）ＤＤＮ要求を拒絶でき、ＳＭＦにＵＥがサービス制約地域にいると通知できる。
【０２９９】
今まで非許容領域に位置するＵＥに対する下りリンクサービス関連動作をコアネットワークを中心として提案した。以下、非許容領域に位置するＵＥに対する下りリンクサービス関連動作をＲＡＮレベルを中心として提案する。特に、以下では、ＵＥがＲＲＣ＿ＩＮＡＣＴＩＶＥ状態でＢＳが非許容領域関連動作を効率的に行える方法についてさらに提案する。ＵＥがネットワークから受信した非許容トラッキング領域情報に基づいてＣＭ−ＩＤＬＥ状態で自分が非許容トラッキング領域に属していることを認知すると、ＵＥは発信サービスを行わない。ＲＡＮはＣＭ＿ＣＯＮＮＥＣＴＥＤに転換しながらＡＭＦからハンドオーバー制約（ｈａｎｄｏｖｅｒ  ｒｅｓｔｒｉｃｔｅｄ）が提供されると、ＲＡＮはハンドオーバー制約リストに属するセル或いはハンドオーバー制約リストで指示されたトラッキング領域に属するセルではハンドオーバーを行わない。ＵＥの移動性制約（例えば、非許容領域）に属するセル以外にはハンドオーバーが不可能である場合、ソースＲＡＮはＲＲＣ解除を行い、これによりＵＥは以後ユーザデータ送信のためのサービス要求を行わない。ＡＭＦはＵＥが非許容領域にいることを認知する場合、該当ＰＤＵセッションに対する非活性化（ｄｅａｃｔｉｖａｔｉｏｎ）或いはＰＤＵ解除のための動作を行うことができる。例えば、ＡＭＦはＵＥがサービス不可地域（即ち、サービス制約地域）に移動したとＳＭＦに通知することができる。しかし、ＵＥがＲＲＣ＿ＩＮＡＣＴＩＶＥ状態である場合、ネットワークがどのように動作するかが現在明確に定義されていない。例えば、ＵＥがＣＭ＿ＣＯＮＮＥＣＴＥＤ／ＲＲＣ＿ＣＯＮＮＥＣＴＥＤである場合、ＲＡＮがＵＥの移動性を管理するので、ハンドオーバー制約リストなどによりＵＥが非許容領域のセルにハンドオーバーすることが制約され、ＵＥ周辺に非許容領域のセルのみが存在する場合は、ＲＲＣ接続が解除され、ＵＥがまるでＣＭ＿ＩＤＬＥである時にサービス要求を行うようにＵＥの移動性制御が可能である。しかし、ＵＥがＲＲＣ＿ＩＮＡＣＴＩＶＥである場合には、ＵＥによるセル再選択により移動性（ｍｏｂｉｌｉｔｙ）が制御されるので、正確な移動制御が不可能である。ＵＥがＣＭ＿ＣＯＮＮＥＣＴＥＤでありながらＲＲＣ＿ＩＮＡＣＴＩＶＥである場合には、ＵＰＦとＲＡＮの間のＮ３インターフェースが維持されて、ＵＥがＲＲＣ＿ＣＯＮＮＥＣＴＥＤ状態であるか否かに関係なくＵＰＦからＲＡＮノードにユーザデータがすぐ提供され、ＲＡＮがデータのためにページングを送信した後にＵＥが移動性制約領域（例えば、非許容領域）でページングに応答した場合には、データがＵＥに続いて送信されるべきであるかについての動作が明確ではない。これは移動性制約（特に、サービス領域制約）の運用に問題を引き起こすことができる。かかる問題を解決するために、本発明はＲＡＮが以下のように動作することを提案する。
【０３００】
ＲＡＮ（例えば、ｇＮＢ）は、ＵＥがページングに応答するか、或いはＲＡＮ基盤の通知更新を要求する場合、ＵＥが非許容領域に位置することを認知できる。この場合、ＲＡＮは下りリンクパケットを受信すると、下りリンクパケットのＱｏＳ情報を確認（例えば、下りリンクパケットのＡＲＰ値を確認してＭＰＳ或いは応急サービスであることを区分）し、ＵＥにページング送信を行うか否かを判断できる。ＵＥに対して受信した下りリンクパケットのＱｏＳ情報がＭＰＳ或いは応急サービスに該当しない場合、ＲＡＮはページング送信を中断できる。ページング送信を中断する場合（例えば、下りリンクデータ送信を拒絶する場合）、ＲＡＮはＳＭ  Ｎ２メッセージ（セッションＩＤを含む）を送信して、（ＡＭＦを介して）該当ＰＤＵを支援するＳＭＦにＰＤＵセッションに対してＵＥがサービス不可能領域にいるため下りリンクデータ送信に失敗したと知らせることができる。その後、ＲＡＮ或いはＳＭＦは、ＰＤＵセッションに対する非活性化を要求するか又はＰＤＵ解除をトリガーすることができる。
【０３０１】
図１４は、本発明の提案に適用されるノード装置の構成を示す図である。  
【０３０２】
本発明に係るＵＥ装置１００は、送受信モジュール１１０、プロセッサ１２０及びメモリ１３０を含む。ＵＥ装置１００の送受信モジュール１１０は、無線周波数（ｒａｄｉｏ  ｆｒｅｑｕｅｎｃｙ、ＲＦ）ユニット或いはトランシーバとも呼ばれる。送受信モジュール１１０は外部装置に各種信号、データ及び情報を送信し、外部装置から各種信号、データ及び情報を受信するように構成される。また送受信モジュール１１０は送信部と受信部に分離して具現化される。ＵＥ装置１００は、外部装置と有線及び／または無線で接続することができる。プロセッサ１２０は、ＵＥ装置１００全般の動作を制御することができ、ＵＥ装置１００が外部装置と送受信する情報などを演算処理する機能を行うように構成することができる。また、プロセッサ１２０は、本発明で提案するＵＥ動作を行うように構成することができる。プロセッサ１２０は本発明の提案によってデータ或いはメッセージを送信するように送受信モジュール１１０を制御する。メモリ１３０は、演算処理された情報などを所定時間の間保存することができ、バッファ（図示せず）などの構成要素に取り替えることができる。
【０３０３】
本発明に係るネットワークノード装置２００は、送受信モジュール２１０、プロセッサ２２０及びメモリ２３０を含む。ＵＥ装置１００と通信する場合、送受信モジュール２１０は無線周波数（ｒａｄｉｏ  ｆｒｅｑｕｅｎｃｙ、ＲＦ）ユニット或いはトランシーバとも呼ばれる。送受信モジュール２１０は、外部装置に各種信号、データ及び情報を送信し、外部装置から各種信号、データ及び情報を受信するように構成される。ネットワークノード装置２００は、外部装置と有線及び／または無線で接続することができる。送受信モジュール２１０は送信部と受信部に分離して具現化される。プロセッサ２２０は、ネットワークノード装置２００全般の動作を制御することができ、ネットワークノード装置２００が外部装置と送受信する情報などを演算処理する機能を行うように構成することができる。また、プロセッサ２２０は、本発明で提案するネットワークノード動作を行うように構成することができる。プロセッサ２２０は本発明の提案によってデータ或いはメッセージをＵＥ或いは他のネットワークノードに送信するように送受信モジュール１１０を制御する。メモリ２３０は、演算処理された情報などを所定時間の間保存することができ、バッファ（図示せず）などの構成要素に取り替えることができる。アクセスネットワークにおいて、ネットワーク装置２００はｅＮＢ或いはｇＮＢであることができる。コアネットワークにおいて、ネットワーク装置２００にはネットワーク機能によってアクセス及び移動性管理機能を有するＡＭＦ装置、セッション管理機能を有するＳＭＦ装置、ユーザプレーン機能を有するＵＰＦ装置などがある。
【０３０４】
また、上記ＵＥ装置１００及びネットワーク装置２００の具体的な構成は、上述した本発明の多様な実施例で説明した事項が独立して適用されたり、または２以上の実施例が同時に適用されるように具現化することができ、重複する内容に対する説明は明確性のために省略する。  
【０３０５】
以下、ネットワーク装置２００がＡＭＦ装置に該当すると仮定し、本発明によるＡＭＦ装置の動作を説明する。ＡＭＦ装置２００のトランシーバ２１０はＳＭＦ装置からＵＥ装置１００に対するデータ通信に関連する要求を受信する。ＡＭＦ装置２００のプロセッサ２２０は、上記要求とＵＥの状態に基づいて上記要求による動作を行うようにトランシーバ２１０を制御するか、又は要求に対する拒絶をＳＭＦ装置に送信するようにトランシーバ２１０を制御できる。例えば、ＵＥが着信（ｍｏｂｉｌｅ  ｔｅｒｍｉｎａｔｅｄ）データに対する通信が制約されるモード（例えば、ＭＩＣＯモード）ではなく、ＡＭＦ装置２００のプロセッサ２２０がＵＥがユーザサービスが制約される非許容領域（ｎｏｎ-ａｌｌｏｗｅｄ  ａｒｅａ）にいることを検出した場合は、プロセッサ２２０はデータ通知が規制優先化サービス（ｒｅｇｕｌａｔｏｒｙ  ｐｒｉｏｒｉｔｉｚｅｄ  ｓｅｒｖｉｃｅ）に対するものではないと、要求に対する拒絶を送信するようにトランシーバ２１０を制御する。プロセッサ２２０はデータ通知が規制優先かサービスに対するものであると、ＵＥに対するページングを無線アクセスネットワーク装置（例えば、基地局）に送信するようにトランシーバ２１０を制御することができる。プロセッサ２２０はデータ通知が規制優先化サービスに対するものではないと、ＳＭＦ装置にＵＥが非許容領域にいることを示す情報を通知するようにトランシーバ２１０を制御する。プロセッサ２２０は応急サービス又はマルチメディア優先サービス（ｍｕｌｔｉｍｅｄｉａ  ｐｒｉｏｒｉｔｙ  ｓｅｒｖｉｃｅ、ＭＰＳ）を規制優先化サービスであると見なすことができる。
【０３０６】
上述した本発明の各実施例は、多様な手段を通じて具現化することができる。例えば、本発明の各実施例は、ハードウェア、ファームウェア（ｆｉｒｍｗａｒｅ）、ソフトウェアまたはそれらの結合などによって具現化することができる。
【０３０７】
ハードウェアによる具現化の場合、本発明の各実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラー、マイクロコントローラー、マイクロプロセッサなどによって具現化することができる。
【０３０８】
ファームウェアやソフトウェアによる具現化の場合、本発明の各実施例に係る方法は、以上で説明した機能または動作を行うモジュール、手順または関数などの形態で具現化することができる。ソフトウェアコードは、メモリユニットに保存してプロセッサによって駆動することができる。メモリユニットは、プロセッサの内部または外部に位置し、既に公知の多様な手段によってプロセッサとデータをやり取りすることができる。
【０３０９】
上述したように開示された本発明の好ましい実施形態に対する詳細な説明は、当業者が本発明を具現化して実施できるように提供された。以上では、本発明の好ましい実施形態を参照して説明したが、該当技術分野で熟練した当業者であれば、下記の特許請求の範囲に記載した本発明の思想及び領域から逸脱しない範囲内で本発明を多様に修正及び変更可能であることを理解できるだろう。よって、本発明は、ここで示した各実施形態に制限されるものではなく、ここで開示された各原理及び新規の各特徴と一致する最広の範囲を付与しようとするものである。  
【産業上の利用可能性】
【０３１０】
上述したような通信方法は、３ＧＰＰシステムの他に、ＩＥＥＥ  ８０２．１６ｘ、８０２．１１ｘシステムを含む様々な無線通信システムにも適用可能である。さらに、提案した方法は、超高周波帯域を利用するｍｍＷａｖｅ通信システムにも適用可能である。
【図１】
0006821821.tif 000003
【図２】
0006821821.tif 000004
【図３】
0006821821.tif 000005
【図４】
0006821821.tif 000006
【図５】
0006821821.tif 000007
【図６】
0006821821.tif 000008
【図７】
0006821821.tif 000009
【図８（ａ）】
0006821821.tif 000010
【図８（ｂ）】
0006821821.tif 000011
【図９】
0006821821.tif 000012
【図１０（ａ）】
0006821821.tif 000013
【図１０（ｂ）】
0006821821.tif 000014
【図１１】
0006821821.tif 000015
【図１２】
0006821821.tif 000016
【図１３】
0006821821.tif 000017
【図１４】
0006821821.tif 000018